(57)【要約】  本発明はパラメータ設定方法を開示し、該パラメータ設定方法は、第２端末装置が第１端末装置に第１パラメータ組み合わせを送信し、又は、第１端末装置が第２端末装置に第２パラメータ組み合わせを送信することを含み、前記第１パラメータ組み合わせと前記第２パラメータ組み合わせはいずれも前記第２端末装置のサイドリンクデータ送信パラメータ及び／又は前記第２端末装置のサイドリンクデータ受信パラメータを示すことに用いられる。本発明は更に端末装置及び記憶媒体を開示する。
2022502979.tif 000002
【特許請求の範囲】
【請求項１】
パラメータ設定方法であって、
第２端末装置が第１端末装置に第１パラメータ組み合わせを送信し、前記第１パラメータ組み合わせは、前記第２端末装置のサイドリンクデータ送信パラメータ及び／又は前記第２端末装置のサイドリンクデータ受信パラメータを示すことに用いられることを含むパラメータ設定方法。
【請求項２】
前記第１パラメータ組み合わせは上位層シグナリングにより伝送される請求項１に記載の方法。
【請求項３】
前記第１パラメータ組み合わせは、コンテナの方式で上位層シグナリングにより伝送される請求項２に記載の方法。
【請求項４】
前記第１パラメータ組み合わせは無線リソース制御（ＲＲＣ）シグナリングにより伝送される請求項１に記載の方法。
【請求項５】
前記第２端末装置が第１端末装置に第１パラメータ組み合わせを送信することは、前記第２端末装置の上位層によりトリガーされる請求項１〜３のいずれか１項に記載の方法。
【請求項６】
前記第２端末装置が第１端末装置に第１パラメータ組み合わせを送信することが、前記第２端末装置の上位層によりトリガーされることは、
前記第２端末装置による第１端末装置への第１パラメータ組み合わせの送信が、
接続確立要求メッセージ、
セキュリティパラメータ設定メッセージ、
セキュリティパラメータ設定完了メッセージ、
接続確立完了メッセージ、のうちの少なくとも１つの上位層メッセージによりトリガーされることを含む請求項５に記載の方法。
【請求項７】
前記上位層メッセージは無線リソース制御（ＲＲＣ）シグナリングに含まれ、前記第１パラメータ組み合わせと同時に前記第１端末装置に送信される請求項６に記載の方法。
【請求項８】
前記第２端末装置が第１端末装置に第１パラメータ組み合わせを送信することは、前記第２端末装置のアクセス層によりトリガーされる請求項１〜３のいずれか１項に記載の方法。
【請求項９】
前記第２端末装置が第１端末装置に第１パラメータ組み合わせを送信することが、前記第２端末装置のアクセス層によりトリガーされることは、
前記第２端末装置のサイドリンクデータ送信能力及び／又は前記第２端末装置のサイドリンクデータ受信能力が変化した場合、前記第２端末装置が前記第２端末装置による第１端末装置への第１パラメータ組み合わせの送信をトリガーすることを含む請求項８に記載の方法。
【請求項１０】
前記第２端末装置が第１端末装置に第１パラメータ組み合わせを送信することは、前記第１端末装置の第１メッセージによりトリガーされる請求項１〜３のいずれか１項に記載の方法。
【請求項１１】
前記第１メッセージは、前記第２端末が送信する必要がある第１パラメータ組み合わせにおける第１パラメータのタイプを示すことに用いられる請求項１０に記載の方法。
【請求項１２】
前記第１メッセージは、
前記第１端末装置のサイドリンクデータ送信パラメータ、
前記第１端末装置のサイドリンクデータ受信パラメータ、のうちの少なくとも１つを示すことに用いられる請求項１０又は１１に記載の方法。
【請求項１３】
前記第２端末装置が第１端末装置に第１パラメータ組み合わせを送信することは、周期的にトリガーされることで実現される請求項１〜３のいずれか１項に記載の方法。
【請求項１４】
前記第１メッセージはＰＣ５−ｓｉｇｎａｌｉｎｇシグナリングメッセージである請求項１０〜１２のいずれか１項に記載の方法。
【請求項１５】
前記第１メッセージは無線リソース制御（ＲＲＣ）メッセージである請求項１０〜１２のいずれか１項に記載の方法。
【請求項１６】
前記第１メッセージは接続確立要求メッセージである請求項１０〜１２のいずれか１項に記載の方法。
【請求項１７】
前記第１メッセージはセキュリティパラメータ設定実行メッセージである請求項１０〜１２のいずれか１項に記載の方法。
【請求項１８】
前記第１メッセージはセキュリティパラメータ設定完了確認メッセージである請求項１０〜１２のいずれか１項に記載の方法。
【請求項１９】
前記第１メッセージは接続確立完了確認メッセージである請求項１０〜１２のいずれか１項に記載の方法。
【請求項２０】
前記方法は更に、
前記第２端末装置が前記第１端末装置に第３メッセージを送信し、前記第３メッセージは、前記第１端末装置が送信する必要がある第３パラメータ組み合わせにおける第３パラメータのタイプを示すことに用いられることを含む請求項１０、１１、１３〜１８のいずれか１項に記載の方法。
【請求項２１】
前記第３メッセージと前記第１パラメータ組み合わせは、同じＲＲＣメッセージを用いて伝送される請求項２０に記載の方法。
【請求項２２】
前記第１パラメータ組み合わせは、異なる状況に対して第１パラメータを設定することに用いられる請求項１〜２０のいずれか１項に記載の方法。
【請求項２３】
前記状況は、サービス品質（ＱｏＳ）属性、伝播方式、第２端末装置の識別マーク、送信先アドレス、ソースアドレス、プロバイダサービス識別子（ＰＳＩＤ）及び高度道路交通システム−アプリケーション識別子（ＩＴＳ−ＡＩＤ）、無線アクセスタイプ（ＲＡＴ）及び第２端末装置の上位層が送信したパラメータ設定情報のうちの少なくとも１つを含む請求項２２に記載の方法。
【請求項２４】
前記第１パラメータ組み合わせは、
前記第２端末装置の送信リソース、
前記第２端末装置の受信リソース、
前記第２端末装置の送信リソースプールの関連情報、
前記第２端末装置の受信リソースプールの関連情報、
前記第２端末装置の送信電力関連情報、のうちの少なくとも１つを含む請求項１〜２３のいずれか１項に記載の方法。
【請求項２５】
前記第１パラメータ組み合わせは、サービス品質（ＱｏＳ）属性、伝播方式、第２端末装置の識別マーク、送信先アドレス、ソースアドレス、プロバイダサービス識別子（ＰＳＩＤ）、高度道路交通システム−アプリケーション識別子（ＩＴＳ−ＡＩＤ）、無線アクセスタイプ（ＲＡＴ）及び第２端末装置の上位層が送信したパラメータ設定情報のうちの少なくとも１つを含む請求項１〜２４のいずれか１項に記載の方法。
【請求項２６】
前記第１パラメータ組み合わせがサービス品質（ＱｏＳ）属性を含む場合、前記第１パラメータ組み合わせは、前記第２端末装置が前記ＱｏＳ属性を有するサービスを開始するように要求することを示すことに用いられる請求項２５に記載の方法。
【請求項２７】
前記第１パラメータ組み合わせがサービス品質（ＱｏＳ）属性を含む場合、前記第１パラメータ組み合わせは、前記第２端末装置が前記ＱｏＳ属性を有するサービスをリリースするように要求することを示すことに用いられる請求項２５に記載の方法。
【請求項２８】
前記第２端末装置のサイドリンクデータ受信パラメータは、
前記第２端末装置のサイドリンクの基準信号受信電力（ＲＳＲＰ）、
前記第２端末装置のサイドリンクの基準信号受信品質（ＲＳＲＱ）、
前記第２端末装置のサイドリンクの受信信号強度指示（ＲＳＳＩ）、のうちの少なくとも１つを含む請求項１〜２７のいずれか１項に記載の方法。
【請求項２９】
前記第２端末装置のサイドリンクデータ送信パラメータ又は前記第２端末装置のサイドリンクデータ受信パラメータに対応する第２端末装置のサイドリンクは、
前記第２端末装置と前記第１端末装置のサイドリンク及び／又は前記第２端末装置と第３端末装置のサイドリンクを含み、前記第１端末装置と前記第３端末装置は異なる請求項１〜２８のいずれか１項に記載の方法。
【請求項３０】
前記第１パラメータ組み合わせは、前記第２端末装置が既存のサービスに基づいて決定されたものである請求項１〜２９のいずれか１項に記載の方法。
【請求項３１】
前記第１パラメータ組み合わせは、前記第２端末装置が発生したばかりのサービスに基づいて決定されたものである請求項１〜２９のいずれか１項に記載の方法。
【請求項３２】
パラメータ設定方法であって、
第１端末装置が第２端末装置に第２パラメータ組み合わせを送信し、前記第２パラメータ組み合わせは、前記第２端末装置のサイドリンクデータ送信パラメータ及び／又は前記第２端末装置のサイドリンクデータ受信パラメータを示すことに用いられることを含むパラメータ設定方法。
【請求項３３】
前記第２パラメータ組み合わせは上位層シグナリングにより伝送される請求項３２に記載の方法。
【請求項３４】
前記第２パラメータ組み合わせは、コンテナの方式で上位層シグナリングにより伝送される請求項３３に記載の方法。
【請求項３５】
前記第２パラメータ組み合わせは無線リソース制御（ＲＲＣ）シグナリングにより伝送される請求項３２に記載の方法。
【請求項３６】
前記第１端末装置が第２端末装置に第２パラメータ組み合わせを送信することは、前記第１端末装置の上位層によりトリガーされる請求項３２〜３４のいずれか１項に記載の方法。
【請求項３７】
前記第１端末装置が第２端末装置に第２パラメータ組み合わせを送信することが、前記第１端末装置の上位層によりトリガーされることは、
前記第１端末装置による第２端末装置への第２パラメータ組み合わせの送信が、
接続確立要求メッセージ、
セキュリティパラメータ設定メッセージ、
セキュリティパラメータ設定完了メッセージ（Ｅ）、
接続確立完了メッセージ、のうちの少なくとも１つの上位層メッセージによりトリガーされることを含む請求項３６に記載の方法。
【請求項３８】
前記上位層メッセージは無線リソース制御（ＲＲＣ）シグナリングに含まれ、前記第２パラメータ組み合わせと同時に前記第２端末装置に送信される請求項３７に記載の方法。
【請求項３９】
前記第１端末装置が第２端末装置に第２パラメータ組み合わせを送信することは、前記第１端末装置のアクセス層によりトリガーされる請求項３２〜３４のいずれか１項に記載の方法。
【請求項４０】
前記第１端末装置のアクセス層が前記第１端末装置による第２端末装置への第２パラメータ組み合わせの送信をトリガーすることは、
前記第１端末装置が前記第２端末装置から送信された第５パラメータ組み合わせを受信し、前記第５パラメータ組み合わせが、前記第１端末装置のサイドリンクデータ送信パラメータ及び／又は前記第２端末装置のサイドリンクデータ受信パラメータを示すことに用いられることと、
前記第１端末装置による前記第５パラメータ組み合わせの設定に成功することと、を含む請求項３９に記載の方法。
【請求項４１】
前記第１端末装置が第２端末装置に第２パラメータ組み合わせを送信することは、前記第２端末装置の第２メッセージによりトリガーされる請求項３２〜３４のいずれか１項に記載の方法。
【請求項４２】
前記第１端末装置が第２端末装置に第２パラメータ組み合わせを送信することは、周期的にトリガーされることで実現される請求項３２〜３４のいずれか１項に記載の方法。
【請求項４３】
前記第２メッセージはＰＣ５−ｓｉｇｎａｌｉｎｇシグナリングメッセージである請求項４１に記載の方法。
【請求項４４】
前記第２メッセージは無線リソース制御（ＲＲＣ）メッセージである請求項４１に記載の方法。
【請求項４５】
前記第２メッセージは接続確立要求メッセージである請求項４１に記載の方法。
【請求項４６】
前記第２メッセージはセキュリティパラメータ設定メッセージである請求項４１に記載の方法。
【請求項４７】
前記第２メッセージはセキュリティパラメータ設定完了確認メッセージである請求項４１に記載の方法。
【請求項４８】
前記第２メッセージは接続確立完了確認メッセージである請求項４１に記載の方法。
【請求項４９】
前記第２パラメータ組み合わせは、異なる状況に対して第２パラメータを設定することに用いられ、
前記第２パラメータは、前記第２端末装置のサイドリンクデータ送信パラメータ及び／又は前記第２端末装置のサイドリンクデータ受信パラメータを含む請求項３２〜４８のいずれか１項に記載の方法。
【請求項５０】
前記状況は、サービス品質（ＱｏＳ）属性、伝播方式、第２端末装置の識別マーク、送信先アドレス、ソースアドレス、プロバイダサービス識別子（ＰＳＩＤ）及び高度道路交通システム−アプリケーション識別子（ＩＴＳ−ＡＩＤ）、無線アクセスタイプ（ＲＡＴ）及び第２端末装置の上位層が送信したパラメータ設定情報のうちの少なくとも１つを含む請求項４９に記載の方法。
【請求項５１】
前記方法は更に、
前記第１端末装置が前記第２端末装置から送信された第３情報を受信することを含む請求項３２〜５０のいずれか１項に記載の方法。
【請求項５２】
前記第３情報は、前記第２端末装置による前記第２パラメータ組み合わせの設定が完了することを示す請求項５１に記載の方法。
【請求項５３】
前記方法は更に、
前記第１端末装置が前記第２端末装置から送信された第６パラメータ組み合わせを受信することを含み、
前記第６パラメータ組み合わせは、前記第１端末装置のサイドリンクデータ送信パラメータ、前記第１端末装置のサイドリンクデータ受信パラメータのうちの少なくとも１つを示すことに用いられる請求項３２〜５０のいずれか１項に記載の方法。
【請求項５４】
前記方法は更に、
前記第１端末装置が前記第２端末装置から送信された第６パラメータ組み合わせを受信することを含み、
前記第６パラメータ組み合わせは、前記第１端末装置のサイドリンクデータ送信パラメータ、前記第１端末装置のサイドリンクデータ受信パラメータのうちの少なくとも１つを示すことに用いられる請求項５１又は５２に記載の方法。
【請求項５５】
前記第６パラメータ組み合わせと前記第３情報は、同じＲＲＣメッセージを用いて伝送される請求項５４に記載の方法。
【請求項５６】
前記第３情報は前記第２端末装置が前記第２パラメータ組み合わせの設定を拒否し、又は前記第２パラメータ組み合わせの設定に失敗したことを示す請求項５１又は５５に記載の方法。
【請求項５７】
前記第３情報は前記第２端末装置が選択した第３パラメータ組み合わせを示す請求項５６に記載の方法。
【請求項５８】
前記第３情報は前記第２端末装置が使用している第４パラメータ組み合わせを示す請求項５６に記載の方法。
【請求項５９】
前記第３情報は、前記第２端末装置が前記第１端末装置とのサイドリンク接続を改めて確立するように要求することを示すことに用いられる請求項５６に記載の方法。
【請求項６０】
前記第２端末装置が前記第３情報を送信する前に、前記第２端末装置は前記第２パラメータ組み合わせの以前の設定を用いる請求項５６に記載の方法。
【請求項６１】
前記第２端末装置が第３情報を送信する前に、前記第２端末装置は少なくとも１つの無線ベアラを停止する請求項５６に記載の方法。
【請求項６２】
前記第２パラメータ組み合わせは、
前記第２端末装置の送信リソース、
前記第２端末装置の受信リソース、
前記第２端末装置の送信リソースプールの関連情報、
前記第２端末装置の受信リソースプールの関連情報、
前記第２端末装置の送信電力関連情報、のうちの少なくとも１つを含む請求項３２〜６１のいずれか１項に記載の方法。
【請求項６３】
前記第２パラメータ組み合わせは、サービス品質（ＱｏＳ）属性、伝播方式、第２端末装置の識別マーク、送信先アドレス、ソースアドレス、プロバイダサービス識別子（ＰＳＩＤ）、高度道路交通システム−アプリケーション識別子（ＩＴＳ−ＡＩＤ）、無線アクセスタイプ（ＲＡＴ）情報及び第２端末装置の上位層が送信したパラメータ設定情報のうちの少なくとも１つを含む請求項３２〜６２のいずれか１項に記載の方法。
【請求項６４】
前記第３パラメータ組み合わせは、
前記第２端末装置の送信リソース、
前記第２端末装置の受信リソース、
前記第２端末装置の送信リソースプールの関連情報、
前記第２端末装置の受信リソースプールの関連情報、
前記第２端末装置の送信電力関連情報、のうちの少なくとも１つを含む請求項５７に記載の方法。
【請求項６５】
前記第３パラメータ組み合わせは、サービス品質（ＱｏＳ）属性、伝播方式、第２端末装置の識別マーク、送信先アドレス、ソースアドレス、プロバイダサービス識別子（ＰＳＩＤ）、高度道路交通システム−アプリケーション識別子（ＩＴＳ−ＡＩＤ）、無線アクセスタイプ（ＲＡＴ）情報及び第２端末装置の上位層が送信したパラメータ設定情報のうちの少なくとも１つを含む請求項５７又は６４に記載の方法。
【請求項６６】
前記第４パラメータ組み合わせは、
前記第２端末装置の送信リソース、
前記第２端末装置の受信リソース、
前記第２端末装置の送信リソースプールの関連情報、
前記第２端末装置の受信リソースプールの関連情報、
前記第２端末装置の送信電力関連情報、のうちの少なくとも１つを含む請求項５８に記載の方法。
【請求項６７】
前記第４パラメータ組み合わせは、サービス品質（ＱｏＳ）属性、伝播方式、第２端末装置の識別マーク、送信先アドレス、ソースアドレス、プロバイダサービス識別子（ＰＳＩＤ）、高度道路交通システム−アプリケーション識別子（ＩＴＳ−ＡＩＤ）、無線アクセスタイプ（ＲＡＴ）情報及び第２端末装置の上位層が送信したパラメータ設定情報のうちの少なくとも１つを含む請求項５８又は６６に記載の方法。
【請求項６８】
前記第２端末装置のサイドリンクデータ受信パラメータは、
前記第２端末装置のサイドリンクの基準信号受信電力（ＲＳＲＰ）、
前記第２端末装置のサイドリンクの基準信号受信品質（ＲＳＲＱ）、
前記第２端末装置のサイドリンクの受信信号強度指示（ＲＳＳＩ）、のうちの少なくとも１つを含む請求項３２〜６７のいずれか１項に記載の方法。
【請求項６９】
前記第２端末装置のサイドリンクは、前記第２端末装置と前記第１端末装置のサイドリンク及び／又は前記第２端末装置と第３端末装置のサイドリンクを含み、前記第１端末装置と前記第３端末装置は異なる請求項３２〜６８のいずれか１項に記載の方法。
【請求項７０】
第２端末装置であって、第１送信ユニットを備え、
前記第１送信ユニットは第１端末装置に第１パラメータ組み合わせを送信するように設定され、前記第１パラメータ組み合わせは、前記第２端末装置のサイドリンクデータ送信パラメータ及び／又は前記第２端末装置のサイドリンクデータ受信パラメータを示すことに用いられる第２端末装置。
【請求項７１】
前記第１パラメータ組み合わせは上位層シグナリングにより伝送される請求項７０に記載の第２端末装置。
【請求項７２】
前記第１パラメータ組み合わせは、コンテナの方式で上位層シグナリングにより伝送される請求項７１に記載の第２端末装置。
【請求項７３】
前記第１パラメータ組み合わせは無線リソース制御（ＲＲＣ）シグナリングにより伝送される請求項７０に記載の第２端末装置。
【請求項７４】
前記第１送信ユニットは、前記第２端末装置の上位層により第１端末装置への第１パラメータ組み合わせの送信をトリガーするように設定される請求項７０〜７２のいずれか１項に記載の第２端末装置。
【請求項７５】
前記第１送信ユニットは、接続確立要求メッセージ、セキュリティパラメータ設定メッセージ、セキュリティパラメータ設定完了メッセージ、接続確立完了メッセージのうちの少なくとも１つの上位層メッセージにより、前記第１端末装置への第１パラメータ組み合わせの送信をトリガーするように設定される請求項７４に記載の第２端末装置。
【請求項７６】
前記上位層メッセージは無線リソース制御（ＲＲＣ）シグナリングに含まれ、前記第１パラメータ組み合わせと同時に前記第１端末装置に送信される請求項７５に記載の第２端末装置。
【請求項７７】
前記第１送信ユニットが第１端末装置に第１パラメータ組み合わせを送信することは、前記第２端末装置のアクセス層によりトリガーされる請求項７０〜７２のいずれか１項に記載の第２端末装置。
【請求項７８】
第２端末装置のサイドリンクデータ送信能力及び／又は前記第２端末装置のサイドリンクデータ受信能力が変化した場合、前記第２端末装置が前記第１送信ユニットによる第１端末装置への第１パラメータ組み合わせの送信をトリガーする請求項７７に記載の第２端末装置。
【請求項７９】
前記第１送信ユニットが第１端末装置に第１パラメータ組み合わせを送信することは、前記第１端末装置から送信された第１メッセージによりトリガーされる請求項７０〜７２のいずれか１項に記載の第２端末装置。
【請求項８０】
前記第１メッセージは、前記第２端末が送信する必要がある第１パラメータ組み合わせにおける第１パラメータのタイプを示すことに用いられる請求項７９に記載の第２端末装置。
【請求項８１】
前記第１メッセージは、前記第１端末装置のサイドリンクデータ送信パラメータ、前記第１端末装置のサイドリンクデータ受信パラメータのうちの少なくとも１つを示すことに用いられる請求項７９又は８０に記載の第２端末装置。
【請求項８２】
前記第１送信ユニットが第１端末装置に第１パラメータ組み合わせを送信することは、周期的にトリガーされることで実現される請求項７０〜７２のいずれか１項に記載の第２端末装置。
【請求項８３】
前記第１メッセージはＰＣ５−ｓｉｇｎａｌｉｎｇシグナリングメッセージである請求項７９〜８１のいずれか１項に記載の第２端末装置。
【請求項８４】
前記第１メッセージは無線リソース制御（ＲＲＣ）メッセージである請求項７９〜８１のいずれか１項に記載の第２端末装置。
【請求項８５】
前記第１メッセージは接続確立要求メッセージである請求項７９〜８１のいずれか１項に記載の第２端末装置。
【請求項８６】
前記第１メッセージはセキュリティパラメータ設定実行メッセージである請求項７９〜８１のいずれか１項に記載の第２端末装置。
【請求項８７】
前記第１メッセージはセキュリティパラメータ設定完了確認メッセージである請求項７９〜８１のいずれか１項に記載の第２端末装置。
【請求項８８】
前記第１メッセージは接続確立完了確認メッセージである請求項７９〜８１のいずれか１項に記載の第２端末装置。
【請求項８９】
前記第１送信ユニットは更に、前記第１端末装置に第３メッセージを送信するように設定され、前記第３メッセージは、前記第１端末装置が送信する必要がある第３パラメータ組み合わせにおける第３パラメータのタイプを示すことに用いられる請求項７９、８０、８２〜８７のいずれか１項に記載の第２端末装置。
【請求項９０】
前記第３メッセージと前記第１パラメータ組み合わせは、同じＲＲＣメッセージを用いて伝送される請求項８９に記載の第２端末装置。
【請求項９１】
前記第１パラメータ組み合わせは、異なる状況に対して第１パラメータを設定することに用いられる請求項７０〜８９のいずれか１項に記載の第２端末装置。
【請求項９２】
前記状況は、サービス品質（ＱｏＳ）属性、伝播方式、第２端末装置の識別マーク、送信先アドレス、ソースアドレス、プロバイダサービス識別子（ＰＳＩＤ）及び高度道路交通システム−アプリケーション識別子（ＩＴＳ−ＡＩＤ）、無線アクセスタイプ（ＲＡＴ）及び第２端末装置の上位層が送信したパラメータ設定情報のうちの少なくとも１つを含む請求項９１に記載の第２端末装置。
【請求項９３】
前記第１パラメータ組み合わせは、
前記第２端末装置の送信リソース、
前記第２端末装置の受信リソース、
前記第２端末装置の送信リソースプールの関連情報、
前記第２端末装置の受信リソースプールの関連情報、
前記第２端末装置の送信電力関連情報、のうちの少なくとも１つを含む請求項７０〜９２のいずれか１項に記載の第２端末装置。
【請求項９４】
前記第１パラメータ組み合わせは、サービス品質（ＱｏＳ）属性、伝播方式、第２端末装置の識別マーク、送信先アドレス、ソースアドレス、プロバイダサービス識別子（ＰＳＩＤ）、高度道路交通システム−アプリケーション識別子（ＩＴＳ−ＡＩＤ）、無線アクセスタイプ（ＲＡＴ）情報及び第２端末装置の上位層が送信したパラメータ設定情報のうちの少なくとも１つを含む請求項７０〜９３のいずれか１項に記載の第２端末装置。
【請求項９５】
前記第１パラメータ組み合わせがサービス品質（ＱｏＳ）属性を含む場合、前記第１パラメータ組み合わせは、前記第２端末装置が前記ＱｏＳ属性を有するサービスを開始するように要求することを示すことに用いられる請求項９４に記載の第２端末装置。
【請求項９６】
前記第１パラメータ組み合わせがサービス品質（ＱｏＳ）属性を含む場合、前記第１パラメータ組み合わせは、前記第２端末装置が前記ＱｏＳ属性を有するサービスをリリースするように要求することを示すことに用いられる請求項９４に記載の第２端末装置。
【請求項９７】
前記第２端末装置のサイドリンクデータ受信パラメータは、
前記第２端末装置のサイドリンクの基準信号受信電力（ＲＳＲＰ）、
前記第２端末装置のサイドリンクの基準信号受信品質（ＲＳＲＱ）、
前記第２端末装置のサイドリンクの受信信号強度指示（ＲＳＳＩ）、のうちの少なくとも１つを含む請求項７０〜９６のいずれか１項に記載の第２端末装置。
【請求項９８】
前記第２端末装置のサイドリンクデータ送信パラメータ又は前記第２端末装置のサイドリンクデータ受信パラメータに対応する第２端末装置のサイドリンクは、
前記第２端末装置と前記第１端末装置のサイドリンク及び／又は前記第２端末装置と第３端末装置のサイドリンクを含み、前記第１端末装置と前記第３端末装置は異なる請求項７０〜９７のいずれか１項に記載の第２端末装置。
【請求項９９】
前記第１パラメータ組み合わせは、前記第２端末装置が既存のサービスに基づいて決定されたものである請求項７０〜９８のいずれか１項に記載の第２端末装置。
【請求項１００】
前記第１パラメータ組み合わせは、前記第２端末装置が発生したばかりのサービスに基づいて決定されたものである請求項７０〜９８のいずれか１項に記載の第２端末装置。
【請求項１０１】
第１端末装置であって、第２送信ユニットを備え、
前記第２送信ユニットは第２端末装置に第２パラメータ組み合わせを送信するように設定され、前記第２パラメータ組み合わせは、前記第２端末装置のサイドリンクデータ送信パラメータ及び／又は前記第２端末装置のサイドリンクデータ受信パラメータを示すことに用いられる第１端末装置。
【請求項１０２】
前記第２パラメータ組み合わせは上位層シグナリングにより伝送される請求項１０１に記載の第１端末装置。
【請求項１０３】
前記第２パラメータ組み合わせは、コンテナの方式で上位層シグナリングにより伝送される請求項１０２に記載の第１端末装置。
【請求項１０４】
前記第２パラメータ組み合わせは無線リソース制御（ＲＲＣ）シグナリングにより伝送される請求項１０１に記載の第１端末装置。
【請求項１０５】
前記第２送信ユニットは、前記第１端末装置の上位層により前記第２端末装置への第２パラメータ組み合わせの送信をトリガーするように設定される請求項１０１〜１０３のいずれか１項に記載の第１端末装置。
【請求項１０６】
前記第２送信ユニットは、接続確立要求メッセージ、セキュリティパラメータ設定メッセージ、セキュリティパラメータ設定完了メッセージ、接続確立完了メッセージのうちの少なくとも１つの上位層メッセージにより、前記第２端末装置への第２パラメータ組み合わせの送信をトリガーするように設定される請求項１０５に記載の第１端末装置。
【請求項１０７】
前記上位層メッセージは無線リソース制御（ＲＲＣ）シグナリングに含まれ、前記第２パラメータ組み合わせと同時に前記第２端末装置に送信される請求項１０６に記載の第１端末装置。
【請求項１０８】
前記第２送信ユニットが第２端末装置に第２パラメータ組み合わせを送信することは、前記第１端末装置のアクセス層によりトリガーされる請求項１０１〜１０３のいずれか１項に記載の第１端末装置。
【請求項１０９】
前記第２送信ユニットは、前記第２端末装置から送信された第５パラメータ組み合わせを受信し、前記第５パラメータ組み合わせが、前記第１端末装置のサイドリンクデータ送信パラメータ及び／又は前記第２端末装置のサイドリンクデータ受信パラメータを示すことに用いられ、
前記第１端末装置による前記第５パラメータ組み合わせの設定に成功するように設定される請求項１０８に記載の第１端末装置。
【請求項１１０】
前記第２送信ユニットが第２端末装置に第２パラメータ組み合わせを送信することは、前記第２端末装置から送信された第２メッセージによりトリガーされる請求項１０１〜１０３のいずれか１項に記載の第１端末装置。
【請求項１１１】
前記第２送信ユニットが第２端末装置に第２パラメータ組み合わせを送信することは、周期的にトリガーされることで実現される請求項１０１〜１０３のいずれか１項に記載の第１端末装置。
【請求項１１２】
前記第２メッセージはＰＣ５−ｓｉｇｎａｌｉｎｇシグナリングメッセージである請求項１１０に記載の第１端末装置。
【請求項１１３】
前記第２メッセージは無線リソース制御（ＲＲＣ）メッセージである請求項１１０に記載の第１端末装置。
【請求項１１４】
前記第２メッセージは接続確立要求メッセージである請求項１１０に記載の第１端末装置。
【請求項１１５】
前記第２メッセージはセキュリティパラメータ設定メッセージである請求項１１０に記載の第１端末装置。
【請求項１１６】
前記第２メッセージはセキュリティパラメータ設定完了確認メッセージである請求項１１０に記載の第１端末装置。
【請求項１１７】
前記第２メッセージは接続確立完了確認メッセージである請求項１１０に記載の第１端末装置。
【請求項１１８】
前記第２パラメータ組み合わせは、異なる状況に対して第２パラメータを設定することに用いられ、
前記第２パラメータは、前記第２端末装置のサイドリンクデータ送信パラメータ及び／又は前記第２端末装置のサイドリンクデータ受信パラメータを含む請求項１０１〜１１７のいずれか１項に記載の第１端末装置。
【請求項１１９】
前記状況は、サービス品質（ＱｏＳ）属性、伝播方式、第２端末装置の識別マーク、送信先アドレス、ソースアドレス、プロバイダサービス識別子（ＰＳＩＤ）及び高度道路交通システム−アプリケーション識別子（ＩＴＳ−ＡＩＤ）、無線アクセスタイプ（ＲＡＴ）及び第２端末装置の上位層が送信したパラメータ設定情報のうちの少なくとも１つを含む請求項１１８に記載の第１端末装置。
【請求項１２０】
前記第１端末装置は更に、
前記第２端末装置から送信された第３情報を受信するように設定される第１受信ユニットを備える請求項１０２〜１１９のいずれか１項に記載の第１端末装置。
【請求項１２１】
前記第３情報は、前記第２端末装置による前記第２パラメータ組み合わせの設定が完了することを示す請求項１２０に記載の第１端末装置。
【請求項１２２】
前記第１端末装置は第２受信ユニットを更に備え、
前記第２受信ユニットは前記第２端末装置から送信された第６パラメータ組み合わせを受信するように設定され、
前記第６パラメータ組み合わせは、前記第１端末装置のサイドリンクデータ送信パラメータ、前記第１端末装置のサイドリンクデータ受信パラメータのうちの少なくとも１つを示すことに用いられる請求項１０１〜１１９のいずれか１項に記載の第１端末装置。
【請求項１２３】
前記第１端末装置は第２受信ユニットを更に備え、
前記第２受信ユニットは前記第２端末装置から送信された第６パラメータ組み合わせを受信するように設定され、
前記第６パラメータ組み合わせは、前記第１端末装置のサイドリンクデータ送信パラメータ、前記第１端末装置のサイドリンクデータ受信パラメータのうちの少なくとも１つを示すことに用いられる請求項１２０又は１２１に記載の第１端末装置。
【請求項１２４】
前記第６パラメータ組み合わせと前記第３情報は、同じＲＲＣメッセージを用いて伝送される請求項１２３に記載の第１端末装置。
【請求項１２５】
前記第３情報は前記第２端末装置が前記第２パラメータ組み合わせの設定を拒否し、又は前記第２パラメータ組み合わせの設定に失敗したことを示す請求項１２０又は１２４に記載の第１端末装置。
【請求項１２６】
前記第３情報は前記第２端末装置が選択した第３パラメータ組み合わせを示す請求項１２５に記載の第１端末装置。
【請求項１２７】
前記第３情報は前記第２端末装置が使用している第４パラメータ組み合わせを示す請求項１２５に記載の第１端末装置。
【請求項１２８】
前記第３情報は、前記第２端末装置が前記第１端末装置とのサイドリンク接続を改めて確立するように要求することを示すことに用いられる請求項１２５に記載の第１端末装置。
【請求項１２９】
前記第２端末装置が前記第３情報を送信する前に、前記第２端末装置は前記第２パラメータ組み合わせの以前の設定を用いる請求項１２５に記載の第１端末装置。
【請求項１３０】
前記第２端末装置が第３情報を送信する前に、前記第２端末装置は少なくとも１つの無線ベアラを停止する請求項１２５に記載の第１端末装置。
【請求項１３１】
前記第２パラメータ組み合わせは、
前記第２端末装置の送信リソース、
前記第２端末装置の受信リソース、
前記第２端末装置の送信リソースプールの関連情報、
前記第２端末装置の受信リソースプールの関連情報、
前記第２端末装置の送信電力関連情報、のうちの少なくとも１つを含む請求項１０１〜１３０のいずれか１項に記載の第１端末装置。
【請求項１３２】
前記第２パラメータ組み合わせは、サービス品質（ＱｏＳ）属性、伝播方式、第２端末装置の識別マーク、送信先アドレス、ソースアドレス、プロバイダサービス識別子（ＰＳＩＤ）、高度道路交通システム−アプリケーション識別子（ＩＴＳ−ＡＩＤ）、無線アクセスタイプ（ＲＡＴ）情報及び第２端末装置の上位層が送信したパラメータ設定情報のうちの少なくとも１つを含む請求項１０１〜１３１のいずれか１項に記載の第１端末装置。
【請求項１３３】
前記第３パラメータ組み合わせは、
前記第２端末装置の送信リソース、
前記第２端末装置の受信リソース、
前記第２端末装置の送信リソースプールの関連情報、
前記第２端末装置の受信リソースプールの関連情報、
前記第２端末装置の送信電力関連情報、のうちの少なくとも１つを含む請求項１２６に記載の第１端末装置。
【請求項１３４】
前記第３パラメータ組み合わせは、サービス品質（ＱｏＳ）属性、伝播方式、第２端末装置の識別マーク、送信先アドレス、ソースアドレス、プロバイダサービス識別子（ＰＳＩＤ）、高度道路交通システム−アプリケーション識別子（ＩＴＳ−ＡＩＤ）、無線アクセスタイプ（ＲＡＴ）情報及び第２端末装置の上位層が送信したパラメータ設定情報のうちの少なくとも１つを含む請求項１２６又は１３３に記載の第１端末装置。
【請求項１３５】
前記第４パラメータ組み合わせは、
前記第２端末装置の送信リソース、
前記第２端末装置の受信リソース、
前記第２端末装置の送信リソースプールの関連情報、
前記第２端末装置の受信リソースプールの関連情報、
前記第２端末装置の送信電力関連情報、のうちの少なくとも１つを含む請求項１２７に記載の第１端末装置。
【請求項１３６】
前記第４パラメータ組み合わせは、サービス品質（ＱｏＳ）属性、伝播方式、第２端末装置の識別マーク、送信先アドレス、ソースアドレス、プロバイダサービス識別子（ＰＳＩＤ）、高度道路交通システム−アプリケーション識別子（ＩＴＳ−ＡＩＤ）、無線アクセスタイプ（ＲＡＴ）情報及び第２端末装置の上位層が送信したパラメータ設定情報のうちの少なくとも１つを含む請求項１２７又は１３５に記載の第１端末装置。
【請求項１３７】
前記第２端末装置のサイドリンクデータ受信パラメータは、
前記第２端末装置のサイドリンクの基準信号受信電力（ＲＳＲＰ）、
前記第２端末装置のサイドリンクの基準信号受信品質（ＲＳＲＱ）、
前記第２端末装置のサイドリンクの受信信号強度指示（ＲＳＳＩ）、のうちの少なくとも１つを含む請求項１０１〜１３６のいずれか１項に記載の第１端末装置。
【請求項１３８】
前記第２端末装置のサイドリンクは、前記第２端末装置と前記第１端末装置のサイドリンク及び／又は前記第２端末装置と第３端末装置のサイドリンクを含み、前記第１端末装置と前記第３端末装置は異なる請求項１０１〜１３６のいずれか１項に記載の第１端末装置。
【請求項１３９】
プロセッサと、プロセッサにおいて実行できるコンピュータプログラムを記憶するためのメモリとを備える端末装置であって、
前記プロセッサは前記コンピュータプログラムを実行するとき、請求項１〜３１のいずれか１項に記載のパラメータ設定方法のステップを実行することに用いられる端末装置。
【請求項１４０】
プロセッサと、プロセッサにおいて実行できるコンピュータプログラムを記憶するためのメモリとを備える端末装置であって、
前記プロセッサは前記コンピュータプログラムを実行するとき、請求項３２〜６９のいずれか１項に記載のパラメータ設定方法のステップを実行することに用いられる端末装置。
【請求項１４１】
記憶媒体であって、実行可能プログラムが記憶され、前記実行可能プログラムがプロセッサにより実行されるとき、請求項１〜３１のいずれか１項に記載のパラメータ設定方法を実現する記憶媒体。
【請求項１４２】
記憶媒体であって、実行可能プログラムが記憶され、前記実行可能プログラムがプロセッサにより実行されるとき、請求項３２〜６９のいずれか１項に記載のパラメータ設定方法を実現する記憶媒体。
【発明の詳細な説明】
【技術分野】
【０００１】
本発明は無線通信技術分野に関し、特にパラメータ設定方法、端末装置及び記憶媒体に関する。
【背景技術】
【０００２】
第５世代（５Ｇ、５ｔｈ  Ｇｅｎｅｒａｔｉｏｎ）新無線（ＮＲ、Ｎｅｗ  Ｒａｄｉｏ）システムにおける車両とモノの通信（Ｖ２Ｘ、Ｖｅｈｉｃｌｅ  ｔｏ  Ｅｖｅｒｙｔｈｉｎｇ）には、端末装置（Ｕｓｅｒ  Ｅｑｕｉｐｍｅｎｔ）からＵＥまでの制御が導入されたが、どのようにＵＥ−ＵＥの制御を実現するかについては、今まで有効な解決案がない。
【発明の概要】
【発明が解決しようとする課題】
【０００３】
上記技術的課題を解決するために、本発明の実施例は端末装置から端末装置までの制御を実現することのできるパラメータ設定方法、端末装置及び記憶媒体を提供する。
【課題を解決するための手段】
【０００４】
第１態様では、本発明の実施例はパラメータ設定方法を提供し、該パラメータ設定方法は、
第２端末装置が第１端末装置に第１パラメータ組み合わせを送信し、前記第１パラメータ組み合わせは前記第２端末装置のサイドリンクデータ送信パラメータ及び／又は前記第２端末装置のサイドリンクデータ受信パラメータを示すことに用いられることを含む。
【０００５】
第２態様では、本発明の実施例はパラメータ設定方法を提供し、該パラメータ設定方法は、
第１端末装置が第２端末装置に第２パラメータ組み合わせを送信し、前記第２パラメータ組み合わせは前記第２端末装置のサイドリンクデータ送信パラメータ及び／又は前記第２端末装置のサイドリンクデータ受信パラメータを示すことに用いられることを含む。
【０００６】
第３態様では、本発明の実施例は第２端末装置を提供し、前記第２端末装置は、第１端末装置に第１パラメータ組み合わせを送信するように設定される第１送信ユニットを備え、前記第１パラメータ組み合わせは前記第２端末装置のサイドリンクデータ送信パラメータ及び／又は前記第２端末装置のサイドリンクデータ受信パラメータを示すことに用いられる。
【０００７】
第４態様では、本発明の実施例は第１端末装置を提供し、前記第１端末装置は、第２端末装置に第２パラメータ組み合わせを送信するように設定される第２送信ユニットを備え、前記第２パラメータ組み合わせは前記第２端末装置のサイドリンクデータ送信パラメータ及び／又は前記第２端末装置のサイドリンクデータ受信パラメータを示すことに用いられる。
【０００８】
第５態様では、本発明の実施例は端末装置を提供し、該端末装置は、プロセッサと、プロセッサにおいて実行できるコンピュータプログラムを記憶するためのメモリとを備え、前記プロセッサは前記コンピュータプログラムを実行するとき、上記パラメータ設定方法のステップを実行することに用いられる。
【０００９】
第６態様では、本発明の実施例は記憶媒体を提供し、該記憶媒体に実行可能プログラムが記憶され、前記実行可能プログラムがプロセッサにより実行されるとき、上記パラメータ設定方法を実現する。
【発明の効果】
【００１０】
本発明の実施例に係るパラメータ設定方法は、第２端末装置により第１端末装置に第１パラメータ組み合わせを送信し、又は、第１端末装置により第２端末装置に第２パラメータ組み合わせを送信し、前記第１パラメータ組み合わせと前記第２パラメータ組み合わせはいずれも前記第２端末装置のサイドリンクデータ送信パラメータ及び／又は前記第２端末装置のサイドリンクデータ受信パラメータを示すことに用いられる。このように、第１端末装置と第２端末装置はいずれも第２端末装置のサイドリンクデータ送信パラメータ及び／又は第２端末装置のサイドリンクデータ受信パラメータを取得し、端末装置から端末装置までの制御を実現する。
【図面の簡単な説明】
【００１１】
【図１】図１は本発明のモード３に対するデータ伝送の処理プロセスの模式図である。
【図２】図２は本発明のモード４に対するデータ伝送の処理プロセスの模式図である。
【図３】図３は本発明の実施例の通信システムの要部構成模式図である。
【図４】図４は本発明の実施例のパラメータ設定方法の選択可能な処理プロセスの模式図である。
【図５】図５は本発明の実施例のパラメータ設定方法の他の選択可能な処理プロセスの模式図である。
【図６】図６は本発明の実施例の第２端末装置の要部構成模式図である。
【図７】図７は本発明の実施例の第１端末装置の要部構成模式図である。
【図８】図８は本発明の実施例の端末装置のハードウェアの要部構成模式図である。
【発明を実施するための形態】
【００１２】
本発明の実施例の特徴及び技術的内容をより詳しく理解するために、以下では図面を参照しながら本発明の実施例の実現を詳しく説明する。添付の図面は参照・説明のためのものに過ぎず、本発明の実施例を制限するためのものではない。
【００１３】
本発明の実施例を詳しく説明する前に、まず車両とモノの通信システムを簡単に説明する。
【００１４】
車両とモノの通信システムは端末間（Ｄ２Ｄ、Ｄｅｖｉｃｅ  ｔｏ  Ｄｅｖｉｃｅ）通信に基づくサイドリンク（ＳＬ、Ｓｉｄｅ  Ｌｉｎｋ）伝送技術である。従来のＬＴＥシステムにおける通信データが基地局により送受信される方式と異なり、車両とモノの通信システムにおいて通信データが端末間直接通信の方式を用いるため、一層高いスペクトル効率及び一層低い伝送遅延を有する。
【００１５】
３ＧＰＰ  Ｒｅｌ−１４においてＶ２Ｘを標準化し、２つの伝送モード、即ちモード３及びモード４を定義した。
【００１６】
モード３に対して、データ伝送プロセスは図１に示される。車載端末のサイドリンク伝送リソースは基地局により割り当てられたものであり、車載端末は基地局により割り当てられたリソースに基づいてサイドリンクにおいてデータの送信を行う。基地局は端末に単回伝送するリソースを割り当ててもよく、端末に準静的に伝送するリソースを割り当ててもよい。
【００１７】
モード４に対して、データ伝送プロセスは図２に示される。車載端末はセンシング（ｓｅｎｓｉｎｇ）及び予約（ｒｅｓｅｒｖａｔｉｏｎ）の伝送方式を用いる。車載端末はリソースプールにおいてセンシングの方式で利用可能な伝送リソースセットを取得し、端末は該セットから１つのリソースをランダムに選択してサイドリンクデータの伝送を行う。車両とモノの通信システムにおけるサービスは周期的な特徴を有するため、端末は一般的に準静的伝送の方式を用い、即ち端末は１つの伝送リソースを選択した後、複数の伝送周期において該リソースを持続的に使用することとなり、それによりリソース再選択及びリソース衝突の確率を低下させる。端末は今回伝送する制御情報に次回の伝送リソースの情報を搬送して予約することとなり、それにより他の端末は該ユーザーの制御情報を検出することによりこのリソースが該ユーザーに予約・使用されたかどうかを判断し、リソース衝突を低下させる目的を実現する。
【００１８】
ＮＲ−Ｖ２ＸにＵＥ−ＵＥの制御を導入したが、ＵＥ−ＵＥの制御の実現、例えば、どのようにＵＥ−ＵＥの能力交換及び相互制御を処罰するか、どのような粒度で交換制御を行うか、どのように制御側及び被制御側を決定するか、及び異常状況の処理に適合する等については、まだ有効な解決案がない。
【００１９】
従って、本発明は伝送停止の指示方法を提供する。本願の実施例の伝送停止の指示方法は様々な通信システム、例えば、モバイル通信用グローバル（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）、ロングタームエボリューション（ＬＴＥ、Ｌｏｎｇ  Ｔｅｒｍ  Ｅｖｏｌｕｔｉｏｎ）システム、ＬＴＥ周波数分割複信（ＦＤＤ、Ｆｒｅｑｕｅｎｃｙ  Ｄｉｖｉｓｉｏｎ  Ｄｕｐｌｅｘ）システム、ＬＴＥ時分割複信（ＴＤＤ、Ｔｉｍｅ  Ｄｉｖｉｓｉｏｎ  Ｄｕｐｌｅｘ）、ユニバーサルモバイルテレコミュニケーションズシステム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は５Ｇシステム等に適用されてもよい。
【００２０】
例示的に、本願の実施例に適用される通信システム１００は図３に示される。該通信システム１００はネットワーク装置１１０を備えてもよく、ネットワーク装置１１０は端末装置１２０（通信端末、端末とも称される）と通信する装置であってもよい。ネットワーク装置１１０は特定の地理的領域に通信カバレッジを提供することができ、且つ該カバレッジ領域内の端末装置と通信することができる。選択肢として、該ネットワーク装置１１０はＧＳＭシステム又はＣＤＭＡシステムにおける基地局（ＢＴＳ、Ｂａｓｅ  Ｔｒａｎｓｃｅｉｖｅｒ  Ｓｔａｔｉｏｎ）、ＷＣＤＭＡシステムにおける基地局（ＮＢ、ＮｏｄｅＢ）、ＬＴＥシステムにおける発展型基地局（ｅＮＢ又はｅＮｏｄｅＢ、Ｅｖｏｌｕｔｉｏｎａｌ  Ｎｏｄｅ  Ｂ）、又はクラウド無線アクセスネットワーク（ＣＲＡＮ、Ｃｌｏｕｄ  Ｒａｄｉｏ  Ａｃｃｅｓｓ  Ｎｅｔｗｏｒｋ）における無線制御装置であってもよい。又は、該ネットワーク装置は移動交換局、中継局、アクセスポイント、車載装置、ウェアラブル装置、ハブ、スイッチ、ブリッジ、ルータ、５Ｇネットワークにおけるネットワーク側装置又は将来発展する公衆陸上移動網（ＰＬＭＮ、Ｐｕｂｌｉｃ  Ｌａｎｄ  Ｍｏｂｉｌｅ  Ｎｅｔｗｏｒｋ）におけるネットワーク装置等であってもよい。
【００２１】
該通信システム１００は更にネットワーク装置１１０のカバレッジ範囲内の少なくとも１つの端末装置１２０を備える。ここで使用される「端末装置」としては、有線回線を介して接続するもの、例えば公衆電話交換網（ＰＳＴＮ、Ｐｕｂｌｉｃ  Ｓｗｉｔｃｈｅｄ  Ｔｅｌｅｐｈｏｎｅ  Ｎｅｔｗｏｒｋｓ）、デジタル加入者回線（ＤＳＬ、Ｄｉｇｉｔａｌ  Ｓｕｂｓｃｒｉｂｅｒ  Ｌｉｎｅ）、デジタルケーブル、直接ケーブルを介して接続するもの、及び／又は他のデータ接続／ネットワーク、及び／又は無線インターフェース、例えばセルラーネットワーク、無線ローカルエリアネットワーク（ＷＬＡＮ、Ｗｉｒｅｌｅｓｓ  Ｌｏｃａｌ  Ａｒｅａ  Ｎｅｔｗｏｒｋ）例えばＤＶＢ−Ｈネットワークに対するデジタルテレビネットワーク、衛星ネットワーク、ＡＭ−ＦＭ放送送信機を介するもの、及び／又は他の端末装置が通信信号を送受信するように設定される装置、及び／又はモノのインターネット（ＩｏＴ、Ｉｎｔｅｒｎｅｔ  ｏｆ  Ｔｈｉｎｇｓ）装置を含むが、それらに限らない。無線インターフェースを介して通信するように設定される端末装置は「無線通信端末」、「無線端末」又は「モバイル端末」と称されてもよい。モバイル端末の例は衛星又はセルラー電話、無線電話及びデータ処理、ファックス及びデータ通信機能を組み合わせることのできるパーソナル移動通信システム（ＰＣＳ、Ｐｅｒｓｏｎａｌ  Ｃｏｍｍｕｎｉｃａｔｉｏｎｓ  Ｓｙｓｔｅｍ）端末、無線電話、ポケットベル、インターネット／イントラネットへのアクセス、Ｗｅｂブラウザ、メモ帳、カレンダー及び／又は全地球測位システム（ＧＰＳ、Ｇｌｏｂａｌ  Ｐｏｓｉｔｉｏｎｉｎｇ  Ｓｙｓｔｅｍ）受信機を備えてもよいＰＤＡ、並びに通常のラップトップ及び／又はパームトップ受信機又は無線電話送受信機を備える他の電子装置を含むが、それらに限らない。端末装置とはアクセス端末、ユーザー装置（ＵＥ、Ｕｓｅｒ  Ｅｑｕｉｐｍｅｎｔ）、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー電話、コードレスホン、セッション確立プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル装置、５Ｇネットワークにおける端末装置又は将来発展するＰＬＭＮにおける端末装置等であってもよい。
【００２２】
選択肢として、端末装置１２０同士は装置対装置（Ｄ２Ｄ、Ｄｅｖｉｃｅ  ｔｏ  Ｄｅｖｉｃｅ）通信を行うことができる。
【００２３】
選択肢として、５Ｇシステム又は５Ｇネットワークは更に新無線（ＮＲ、Ｎｅｗ  Ｒａｄｉｏ）システム又はＮＲネットワークと称されてもよい。
【００２４】
図３には１つのネットワーク装置及び２つの端末装置を例示する。選択肢として、該通信システム１００は複数のネットワーク装置を備えてもよく、且つ各ネットワーク装置のカバレッジ範囲内に他の数の端末装置が含まれてもよく、本願の実施例は制限しない。
【００２５】
選択肢として、該通信システム１００は更にネットワーク制御装置、モビリティ管理エンティティ等の他のネットワークエンティティを備えてもよく、本願の実施例は制限しない。
【００２６】
理解されるように、本願の実施例では、ネットワーク／システムにおける通信機能を持つ装置は通信装置と称されてもよい。図３に示される通信システム１００を例とし、通信装置は通信機能を持つネットワーク装置１１０及び端末装置１２０を含んでもよく、ネットワーク装置１１０及び端末装置１２０は前記具体的な装置であってもよく、ここで詳細な説明は省略する。通信装置は更に通信システム１００における他の装置、例えばネットワーク制御装置、モビリティ管理エンティティ等の他のネットワークエンティティを含んでもよく、本願の実施例は制限しない。
【００２７】
本発明の実施例に係るパラメータ設定方法の選択可能な処理プロセスは図４に示され、
第２端末装置が第１端末装置に第１パラメータ組み合わせを送信するステップＳ２０１を含む。
【００２８】
本発明の実施例では、前記第１パラメータ組み合わせは前記第２端末装置のサイドリンクデータ送信パラメータを示すことに用いられ、又は、前記第１パラメータ組み合わせは前記第２端末装置のサイドリンクデータ受信パラメータを示すことに用いられ、又は、前記第１パラメータ組み合わせは前記第２端末装置のサイドリンクデータ送信パラメータ及び受信パラメータを示すことに用いられ、前記第２端末装置と前記第１端末装置が異なる端末装置である。
【００２９】
いくつかの実施例では、前記第２端末装置は物理サイドリンク制御チャネル（ＰＳＣＣＨ、Ｐｈｙｓｉｃａｌ  Ｓｉｄｅｌｉｎｋ  Ｃｏｎｔｒｏｌ  Ｃｈａｎｎｅｌ）、又は物理サイドリンク共有チャネル（ＰＳＳＣＨ、Ｐｈｙｓｉｃａｌ  Ｓｉｄｅｌｉｎｋ  Ｓｈａｒｅｄ  Ｃｈａｎｎｅｌ）、又はサイドリンクフィードバックチャネル、又は物理サイドリンク発見チャネル（ＰＳＤＣＨ、Ｐｈｙｓｉｃａｌ  Ｓｉｄｅｌｉｎｋ  Ｄｉｓｃｏｖｅｒｙ  Ｃｈａｎｎｅｌ）等の方式で第１パラメータ組み合わせを前記第１端末装置に送信することができる。
【００３０】
いくつかの実施例では、前記第１パラメータ組み合わせは上位層シグナリングにより伝送され、即ち前記第２端末装置は上位層シグナリングを介して第１パラメータ組み合わせを前記第１端末装置に送信する。選択肢として、前記第１パラメータ組み合わせはコンテナの方式で上位層シグナリングにより伝送される。
【００３１】
他の実施例では、前記第１パラメータ組み合わせは無線リソース制御（ＲＲＣ、Ｒａｄｉｏ  Ｒｅｓｏｕｒｃｅ  Ｃｏｎｔｒｏｌ）シグナリングにより伝送され、即ち前記第２端末装置はＲＲＣシグナリングを介して第１パラメータ組み合わせを前記第１端末装置に送信する。
【００３２】
具体的に実施するとき、前記第２端末装置が第１端末装置に第１パラメータ組み合わせを送信することは、前記第２端末装置の上位層情報によりトリガーされてもよく、前記第１端末装置の第１メッセージによりトリガーされることで実現されてもよい。前記上位層情報はＲＲＣシグナリングに含まれ、前記第１パラメータ組み合わせと同時に前記第１端末装置に送信され、且つ前記上位層メッセージは、
接続確立要求メッセージＤＩＲＥＣＴ＿ＣＯＭＭＵＮＩＣＡＴＩＯＮ＿ＲＥＱＵＥＳＴ、セキュリティパラメータ設定メッセージＤＩＲＥＣＴ＿ＳＥＣＵＲＩＴＹ＿ＭＯＤＥ＿ＣＯＭＭＡＮＤ、セキュリティパラメータ設定完了メッセージＤＩＲＥＣＴ＿ＳＥＣＵＲＩＴＹ＿ＭＯＤＥ＿ＣＯＭＰＬＥＴＥ、接続確立完了メッセージＤＩＲＥＣＴ＿ＣＯＭＭＵＮＩＣＡＴＩＯＮ＿ＡＣＣＥＰＴのうちの少なくとも１つを含む。
【００３３】
具体的に実施するとき、前記第２端末装置が第１端末装置に第１パラメータ組み合わせを送信することは、前記第２端末装置のアクセス層によりトリガーされてもよい。一例として、前記第２端末装置のサイドリンクデータ送信能力及び／又は前記第２端末装置のサイドリンクデータ受信能力が変化した場合、前記第２端末装置は前記第２端末装置による第１端末装置への第１パラメータ組み合わせの送信をトリガーする。
【００３４】
理解されるように、前記第２端末装置の上位層情報は前記第２端末装置による前記第１端末装置への第１パラメータ組み合わせの送信をトリガーし、又は、前記第１端末装置から送信された第１メッセージは前記第２端末装置による前記第１端末装置への第１パラメータ組み合わせの送信をトリガーする。第２端末装置の上位層情報によりトリガーされるか、それとも第１端末装置の第１メッセージによりトリガーされることで第１パラメータ組み合わせの送信を実現するかにかかわらず、いずれも周期的にトリガーされてもよい。即ち、第２端末装置の上位層は第２端末装置による第１端末装置への第１パラメータ組み合わせの送信を周期的にトリガーし、又は、第１端末装置は第１メッセージを周期的に送信することにより、第２端末装置による第１端末装置への第１パラメータ組み合わせの送信をトリガーする。
【００３５】
ここで、前記第１メッセージは前記第２端末が送信する必要がある第１パラメータ組み合わせにおける第１パラメータのタイプを示すことに用いられる。例を挙げると、前記第１パラメータ組み合わせにおける第１パラメータは異なる次元、例えばＱｏＳ属性、伝播方式、第２端末装置の識別マーク、送信先アドレス、ソースアドレス、プロバイダサービス識別子（ＰＳＩＤ）及び高度道路交通システム−アプリケーション識別子（ＩＴＳ−ＡＩＤ）、無線アクセスタイプ（ＲＡＴ）及び第２端末装置の上位層が送信したパラメータ設定情報を含む。選択肢として、本発明の実施例では、前記第１パラメータのタイプは第１パラメータの異なる次元である。前記伝播方式はユニキャスト、マルチキャスト及びブロードキャストを含み、前記ＲＡＴはＮＲシステムへのアクセス及びＬＴＥシステムへのアクセスを含む。
【００３６】
前記第１メッセージは更に前記第１端末装置のサイドリンクデータ送信パラメータ及び／又は前記第１端末装置のサイドリンクデータ受信パラメータを示すことに用いられる。選択肢として、前記第１メッセージは、第２端末が送信する必要があるサイドリンクデータ送信パラメータが前記第１端末の受信パラメータと交換性がある送信パラメータであることを示し、前記第１メッセージは、第２端末が送信する必要があるサイドリンクデータ受信パラメータが前記第１端末の送信パラメータと交換性がある受信パラメータであることを示す。
【００３７】
前記第１メッセージはＰＣ５−ｓｉｇｎａｌｉｎｇメッセージであり、又は、前記第１メッセージはＲＲＣメッセージであり、又は、前記第１メッセージは接続確立要求メッセージであり、又は、前記第１メッセージはセキュリティパラメータ設定実行メッセージであり、又は、前記第１メッセージはセキュリティパラメータ設定完了確認メッセージであり、又は、前記第１メッセージは接続確立完了確認メッセージである。
【００３８】
いくつかの実施例では、前記第２端末装置が第１端末装置に第１パラメータ組み合わせを送信することが、前記第１端末装置から送信された第１メッセージによりトリガーされる場合、前記方法は更に、
前記第２端末装置が前記第１端末装置に第３メッセージを送信し、前記第３メッセージは前記第１端末装置が送信する必要がある第３パラメータ組み合わせにおける第３パラメータのタイプを示すことに用いられることを含み、
前記第３メッセージと前記第１パラメータ組み合わせは同じＲＲＣメッセージを用いて伝送される。
【００３９】
第２端末装置が第１端末装置に送信した第１パラメータ組み合わせは異なる状況に対して第１パラメータを設定する。前記第１パラメータは前記第２端末装置のサイドリンクデータ送信パラメータを含み、又は前記第１パラメータは前記第２端末装置のサイドリンクデータ受信パラメータを含み、又は前記第１パラメータは前記第２端末装置のサイドリンクデータ送信パラメータ及び受信パラメータを含む。
【００４０】
前記状況は、サービス品質（ＱｏＳ、Ｑｕａｌｉｔｙ  ｏｆ  Ｓｅｒｖｉｃｅ）、伝播方式、第２端末装置の識別マーク、送信先アドレス、ソースアドレス、プロバイダサービス識別子（ＰＳＩＤ、Ｐｒｏｖｉｄｅｒ  Ｓｅｒｖｉｃｅ  Ｉｄｅｎｔｉｆｉｅｒ）及び高度道路交通システム−アプリケーション識別子（ＩＴＳ−ＡＩＤ、Ｉｎｔｅｌｌｉｇｅｎｔ  Ｔｒａｎｓｐｏｒｔａｔｉｏｎ  Ｓｙｓｔｅｍｓ  Ａｐｐｌｉｃａｔｉｏｎ−Ｉｄｅｎｔｉｆｉｅｒ）、無線アクセスタイプ（ＲＡＴ、Ｒａｄｉｏ  Ａｃｃｅｓｓ  Ｔｙｐｅ）及び第２端末装置の上位層が送信したパラメータ設定情報のうちの少なくとも１つを含む。
【００４１】
前記第１パラメータ組み合わせがＱｏＳ属性を含む場合、前記第１パラメータ組み合わせは前記第２端末装置が前記ＱｏＳ属性を有するサービスを開始するように要求することを示すことに用いられる。又は、前記第１パラメータ組み合わせがサービス品質（ＱｏＳ）属性を含む場合、前記第１パラメータ組み合わせは前記第２端末装置が前記ＱｏＳ属性を有するサービスをリリースするように要求することを示すことに用いられる。
【００４２】
従って、本発明の実施例は伝播方式、第２端末装置の識別マーク、送信先アドレス、ソースアドレス、ＰＳＩＤ及びＩＴＳ−ＡＩＤのうちのいずれか１つ又は複数に基づいて、前記第２端末装置のサイドリンクデータ送信パラメータ及び／又は受信パラメータを設定する。
【００４３】
本発明の実施例では、前記第１パラメータ組み合わせは前記第２端末装置の送信リソース、前記第２端末装置の受信リソース、前記第２端末装置の送信リソースプールの関連情報、前記第２端末装置の受信リソースプールの関連情報、及び前記第２端末装置の送信電力関連情報のうちの少なくとも１つを含む。
【００４４】
選択肢として、前記第１パラメータ組み合わせは更に、ＱｏＳ属性、伝播方式、第２端末装置の識別マーク、送信先アドレス、ソースアドレス、ＰＳＩＤ、ＩＴＳ−ＡＩＤ、無線アクセスタイプ（ＲＡＴ、Ｒａｄｉｏ  Ａｃｃｅｓｓ  Ｔｙｐｅ）及び第２端末装置の上位層が送信したパラメータ設定情報のうちの少なくとも１つを含む。前記伝播方式はユニキャスト、マルチキャスト及びブロードキャストを含み、前記ＲＡＴはＮＲシステムへのアクセス及びＬＴＥシステムへのアクセスを含む。
【００４５】
いくつかの実施例では、前記第２端末装置のサイドリンクデータ受信パラメータは、
前記第２端末装置のサイドリンクの基準信号受信電力（ＲＳＲＰ、Ｒｅｆｅｒｅｎｃｅ  Ｓｉｇｎａｌ  Ｒｅｃｅｉｖｉｎｇ  Ｐｏｗｅｒ）、
前記第２端末装置のサイドリンクの基準信号受信品質（ＲＳＲＱ、Ｒｅｆｅｒｅｎｃｅ  Ｓｉｇｎａｌ  Ｒｅｃｅｉｖｉｎｇ  Ｑｕａｌｉｔｙ）、
前記第２端末装置のサイドリンクの受信信号強度指示（ＲＳＳＩ、Ｒｅｃｅｉｖｅｄ  Ｓｉｇｎａｌ  Ｓｔｒｅｎｇｔｈ  Ｉｎｄｉｃａｔｉｏｎ）、のうちの少なくとも１つを含む。
【００４６】
前記第２端末装置のサイドリンクは前記第２端末装置と前記第１端末装置のサイドリンク及び／又は前記第２端末装置と第３端末装置のサイドリンクを含み、前記第１端末装置と前記第３端末装置が異なる。
【００４７】
本発明の実施例では、前記第１パラメータ組み合わせは前記第２端末装置が既存のサービスに基づいて決定したものであり、又は、前記第１パラメータ組み合わせは前記第２端末装置が発生したばかりのサービスに基づいて決定したものである。
【００４８】
本発明の実施例に係るパラメータ設定方法の他の選択可能な処理プロセスは図５に示され、
第１端末装置が第２端末装置に第２パラメータ組み合わせを送信するステップＳ３０１を含む。
【００４９】
本発明の実施例では、前記第２パラメータ組み合わせは前記第２端末装置のサイドリンクデータ送信パラメータを示すことに用いられ、又は、前記第２パラメータ組み合わせは前記第２端末装置のサイドリンクデータ受信パラメータを示すことに用いられ、又は、前記第２パラメータ組み合わせは前記第２端末装置のサイドリンクデータ送信パラメータ及び受信パラメータを示すことに用いられ、前記第２端末装置と前記第１端末装置は異なる端末装置である。
【００５０】
いくつかの実施例では、前記第１端末装置はＰＳＣＣＨ、又はＰＳＳＣＨ、又はサイドリンクフィードバックチャネル、又はＰＳＤＣＨ等の方式で第２パラメータ組み合わせを前記第２端末装置に送信することができる。
【００５１】
いくつかの実施例では、前記第２パラメータ組み合わせは上位層シグナリングにより伝送され、即ち前記第１端末装置は上位層シグナリングを介して第２パラメータ組み合わせを前記第２端末装置に送信する。選択肢として、前記第２パラメータ組み合わせはコンテナの方式で上位層シグナリングにより伝送される。
【００５２】
他の実施例では、前記第２パラメータ組み合わせはＲＲＣシグナリングにより伝送され、即ち前記第１端末装置はＲＲＣシグナリングを介して第２パラメータ組み合わせを前記第２端末装置に送信する。
【００５３】
具体的に実施するとき、前記第１端末装置が第２端末装置に第２パラメータ組み合わせを送信することは、前記第１端末装置の上位層情報によりトリガーされてもよく、前記第２端末装置の第２メッセージによりトリガーされることで実現されてもよい。前記上位層メッセージはＲＲＣシグナリングに含まれ、前記第２パラメータ組み合わせと同時に前記第２端末装置に送信される。前記上位層メッセージは接続確立要求メッセージ、セキュリティパラメータ設定メッセージ、セキュリティパラメータ設定完了メッセージ及び接続確立完了メッセージのうちの少なくとも１つを含む。
【００５４】
いくつかの実施例では、前記第１端末装置が第２端末装置に第２パラメータ組み合わせを送信することは、前記第１端末装置のアクセス層によりトリガーされてもよい。
【００５５】
具体的に実施するとき、前記第１端末装置は前記第２端末装置から送信された第５パラメータ組み合わせを受信し、前記第５パラメータ組み合わせは前記第１端末装置のサイドリンクデータ送信パラメータ及び／又は前記第２端末装置のサイドリンクデータ受信パラメータを示すことに用いられる。前記第１端末装置は前記第５パラメータ組み合わせを設定し、前記第１端末装置による前記第５パラメータ組み合わせの設定に成功した場合、前記第１端末装置による第２端末装置への第２パラメータ組み合わせの送信をトリガーする。理解されるように、第１端末装置による第５パラメータ組み合わせの設定に成功することは、第１端末装置のアクセス層が前記第１端末装置による第２端末装置への第２パラメータ組み合わせの送信をトリガーすることである。
【００５６】
理解されるように、前記第１端末装置の上位層は前記第１端末装置による前記第２端末装置への第２パラメータ組み合わせの送信をトリガーし、又は、前記第１端末装置の第２メッセージは前記第１端末装置による前記第２端末装置への第１パラメータ組み合わせの送信をトリガーする。第１端末装置の上位層によりトリガーされるか、それとも第２端末装置の第２メッセージによりトリガーされることで第２パラメータ組み合わせの送信を実現するかにかかわらず、いずれも周期的にトリガーされてもよい。即ち、第１端末装置の上位層は第１端末装置による第２端末装置への第２パラメータ組み合わせの送信を周期的にトリガーし、又は、第２端末装置は前記第１端末装置に第２メッセージを周期的に送信することにより、前記第１端末装置による第２端末装置への第２パラメータ組み合わせの送信をトリガーする。
【００５７】
ここで、前記第２メッセージはＰＣ５−ｓｉｇｎａｌｉｎｇメッセージであり、又は、前記第２メッセージはＲＲＣメッセージであり、又は、前記第２メッセージは接続確立要求メッセージであり、又は、前記第２メッセージはセキュリティパラメータ設定メッセージであり、又は、前記第２メッセージはセキュリティパラメータ設定完了確認メッセージであり、又は、前記第２メッセージは接続確立完了確認メッセージである。
【００５８】
第１端末装置が第２端末装置に送信した第２パラメータ組み合わせは異なる状況に対して第２パラメータを設定し、前記第２パラメータは前記第２端末装置のサイドリンクデータ送信パラメータを含み、又は前記第２パラメータは前記第２端末装置のサイドリンクデータ受信パラメータを含み、又は前記第２パラメータは前記第２端末装置のサイドリンクデータ送信パラメータ及び受信パラメータを含む。
【００５９】
前記状況は、ＱｏＳ属性、伝播方式、第２端末装置の識別マーク、送信先アドレス、ソースアドレス、ＰＳＩＤ及びＩＴＳ−ＡＩＤ、ＲＡＴ及び第２端末装置の上位層が送信したパラメータ設定情報のうちの少なくとも１つを含む。
【００６０】
従って、本発明の実施例は伝播方式、第２端末装置の識別マーク、送信先アドレス、ソースアドレス、ＰＳＩＤ及びＩＴＳ−ＡＩＤのうちのいずれか１つ又は複数に基づいて、前記第２端末装置のサイドリンクデータ送信パラメータ及び／又は受信パラメータを設定する。
【００６１】
本発明の実施例では、前記第２パラメータ組み合わせは前記第２端末装置の送信リソース、前記第２端末装置の受信リソース、前記第２端末装置の送信リソースプールの関連情報、前記第２端末装置の受信リソースプールの関連情報、及び前記第２端末装置の送信電力関連情報のうちの少なくとも１つを含む。
【００６２】
いくつかの実施例では、前記第２パラメータ組み合わせについての説明は上記第１パラメータ組み合わせと同様であり、ここで詳細な説明は省略する。前記第２端末装置のサイドリンクについての説明は本発明の実施例にかかわる前記第２端末装置のサイドリンクと同様であり、ここで詳細な説明は省略する。
【００６３】
本発明の実施例に係るパラメータ設定方法の更なる選択可能な処理プロセスは上記ステップＳ３０１を基に、ステップＳ３０２を追加した。
【００６４】
ステップＳ３０２、前記第１端末装置は前記第２端末装置から送信された第３情報を受信する。
【００６５】
本発明の実施例では、前記第３情報は前記第２端末装置による前記第２パラメータ組み合わせの設定が完了することを示し、又は、前記第３情報は前記第２端末装置が前記第２パラメータ組み合わせの設定を拒否し、又は前記第２パラメータ組み合わせの設定を拒否し、又は前記第２パラメータ組み合わせの設定に失敗したことを示す。
【００６６】
前記第３情報は前記第２端末装置による前記第２パラメータ組み合わせの設定に失敗したことを示す場合、前記第３情報は前記第２端末装置が選択した第３パラメータ組み合わせを示し、又は、前記第３情報は前記第２端末装置が使用している第４パラメータ組み合わせを示し、又は、前記第３情報は前記第２端末装置が前記第１端末装置とのサイドリンク接続を改めて確立するように要求することを示すことに用いられる。
【００６７】
選択可能な実施例では、前記第２端末装置が前記第３情報を送信する前に、前記第２端末装置は前記第２パラメータ組み合わせの以前の設定を用いる。又は、前記第２端末装置が第３情報を送信する前に、前記第２端末装置は少なくとも１つの無線ベアラを停止する。
【００６８】
前記第２端末装置が選択した第３パラメータ組み合わせとは、前記第２端末装置の提供した第３パラメータ組み合わせ、又は前記第２端末装置の推奨した第３パラメータ組み合わせを指す。
【００６９】
いくつかの実施例では、前記方法は更に、
前記第１端末装置が前記第２端末装置から送信された第６パラメータ組み合わせを受信することを含み、
前記第６パラメータ組み合わせは前記第１端末装置のサイドリンクデータ送信パラメータ及び前記第１端末装置のサイドリンクデータ受信パラメータのうちの少なくとも１つを示すことに用いられる。
【００７０】
前記第６パラメータ組み合わせと前記第３情報は同じＲＲＣメッセージを用いて伝送される。
【００７１】
いくつかの実施例では、前記第３パラメータ組み合わせ及び第４パラメータ組み合わせに含まれる情報は上記第１パラメータ組み合わせに含まれる情報と同様であり、ここで詳細な説明は省略する。
【００７２】
本発明の実施例は更に第２端末装置を提供し、前記第２端末装置４００の要部構成模式図は図６に示され、第１送信ユニット４０１を備え、
前記第１送信ユニット４０１は第１端末装置に第１パラメータ組み合わせを送信するように設定され、前記第１パラメータ組み合わせは前記第２端末装置のサイドリンクデータ送信パラメータ及び／又は前記第２端末装置のサイドリンクデータ受信パラメータを示すことに用いられる。
【００７３】
本発明の実施例では、前記第１パラメータ組み合わせは上位層シグナリングにより伝送される。選択肢として、コンテナの方式で上位層シグナリングにより伝送される。又は、前記第１パラメータ組み合わせはＲＲＣシグナリングにより伝送される。
【００７４】
本発明の実施例では、前記第１送信ユニット４０１が第１端末装置に第１パラメータ組み合わせを送信することは、前記第２端末装置の上位層によりトリガーされ、又は前記第１端末装置の第１メッセージによりトリガーされる。前記第１メッセージは前記第１端末装置のサイドリンクデータ送信パラメータ及び前記第１端末装置のサイドリンクデータ受信パラメータのうちの少なくとも１つを示すことに用いられる。
【００７５】
本発明の実施例では、前記第１送信ユニット４０１が第１端末装置に第１パラメータ組み合わせを送信することは、周期的にトリガーされることで実現される。
【００７６】
本発明の実施例では、前記第１メッセージはＰＣ５−ｓｉｇｎａｌｉｎｇメッセージ、又はＲＲＣメッセージ、又は接続確立要求メッセージ、又はセキュリティパラメータ設定実行メッセージ、又はセキュリティパラメータ設定完了確認メッセージ、又は接続確立完了確認メッセージである。
【００７７】
本発明の実施例では、前記第１パラメータは前記第２端末装置のサイドリンクデータ送信パラメータ及び／又は前記第２端末装置のサイドリンクデータ受信パラメータを含む。前記状況は、ＱｏＳ属性、伝播方式、第２端末装置の識別マーク、送信先アドレス、ソースアドレス、ＰＳＩＤ、ＩＴＳ−ＡＩＤ、ＲＡＴ及び第２端末装置の上位層が送信したパラメータ設定情報のうちの少なくとも１つを含む。
【００７８】
いくつかの実施例では、前記第１送信ユニット４０１は更に、前記第１端末装置に第３メッセージを送信するように設定され、前記第３メッセージは前記第１端末装置が送信する必要がある第３パラメータ組み合わせにおける第３パラメータのタイプを示すことに用いられる。前記第３メッセージと前記第１パラメータ組み合わせは同じＲＲＣメッセージを用いて伝送される。
【００７９】
ここで、前記第１パラメータ組み合わせについての関連説明は本発明の実施例にかかわる第１パラメータ組み合わせと同様であり、ここで詳細な説明は省略する。第２端末装置のサイドリンクについての説明は本発明の実施例にかかわる第２端末装置のサイドリンクと同様であり、ここで詳細な説明は省略する。上位層メッセージ、第１メッセージについての関連説明は上記第２端末装置の実行するパラメータ設定方法における関連説明と同様であり、ここで詳細な説明は省略する。
【００８０】
本発明の実施例は更に第１端末装置を提供し、前記第１端末装置５００の要部構成模式図は図７に示され、第２送信ユニット５０１を備え、
前記第２送信ユニット５０１は第２端末装置に第２パラメータ組み合わせを送信するように設定され、前記第２パラメータ組み合わせは前記第２端末装置のサイドリンクデータ送信パラメータ及び／又は前記第２端末装置のサイドリンクデータ受信パラメータを示すことに用いられる。
【００８１】
本発明の実施例では、前記第２パラメータ組み合わせは上位層シグナリングにより伝送される。選択肢として、前記第２パラメータ組み合わせはコンテナの方式で上位層シグナリングにより伝送される。
【００８２】
本発明の実施例では、前記第２パラメータ組み合わせはＲＲＣシグナリングにより伝送される。
【００８３】
本発明の実施例では、前記第２送信ユニット５０１が第２端末装置に第２パラメータ組み合わせを送信することは、前記第１端末装置の上位層によりトリガーされ、前記上位層メッセージはＲＲＣシグナリングに含まれ、前記第２パラメータ組み合わせと同時に前記第２端末装置に送信される。
【００８４】
本発明の実施例では、前記上位層メッセージは接続確立要求メッセージ、セキュリティパラメータ設定メッセージ、セキュリティパラメータ設定完了メッセージ及び接続確立完了メッセージのうちの少なくとも１つを含む。
【００８５】
本発明の実施例では、前記第２送信ユニット５０１が第２端末装置に第２パラメータ組み合わせを送信することは、前記第２端末装置の第２メッセージによりトリガーされる。
【００８６】
本発明の実施例では、前記第２送信ユニット５０１が第２端末装置に第２パラメータ組み合わせを送信することは、周期的にトリガーされることで実現される。
【００８７】
ここで、前記第２メッセージはＰＣ５−ｓｉｇｎａｌｉｎｇメッセージであり、又は、前記第２メッセージはＲＲＣメッセージであり、又は、前記第２メッセージは接続確立要求メッセージであり、又は、前記第２メッセージはセキュリティパラメータ設定メッセージであり、又は、前記第２メッセージはセキュリティパラメータ設定完了確認メッセージであり、又は、前記第２メッセージは接続確立完了確認メッセージである。
【００８８】
本発明の実施例では、前記第２パラメータ組み合わせは異なる状況に対して第２パラメータを設定することに用いられる。前記第２パラメータは前記第２端末装置のサイドリンクデータ送信パラメータ及び／又は前記第２端末装置のサイドリンクデータ受信パラメータを含む。前記状況は伝播方式、第２端末装置の識別マーク、送信先アドレス、ソースアドレス、ＰＳＩＤ及びＩＴＳ−ＡＩＤのうちの少なくとも１つを含む。
【００８９】
本発明の実施例では、前記第２送信ユニット５０１が第２端末装置に第２パラメータ組み合わせを送信することは、前記第１端末装置のアクセス層によりトリガーされる。
【００９０】
前記第２送信ユニット５０１が第２端末装置に第２パラメータ組み合わせを送信することが、前記第１端末装置のアクセス層によりトリガーされる場合、前記第２送信ユニット５０１は、前記第２端末装置から送信された第５パラメータ組み合わせを受信し、前記第５パラメータ組み合わせが前記第１端末装置のサイドリンクデータ送信パラメータ及び／又は前記第２端末装置のサイドリンクデータ受信パラメータを示すことに用いられ、前記第１端末装置による前記第５パラメータ組み合わせの設定に成功するように設定される。
【００９１】
いくつかの実施例では、前記第１端末装置は更に、
前記第２端末装置から送信された第３情報を受信するように設定される第１受信ユニット５０２を備える。
【００９２】
前記第３情報は前記第２端末装置による前記第２パラメータ組み合わせの設定が完了することを示し、又は、前記第３情報は前記第２端末装置が前記第２パラメータ組み合わせの設定を拒否し、又は前記第２パラメータ組み合わせの設定に失敗したことを示す。
【００９３】
前記第３情報は前記第２端末装置による前記第２パラメータ組み合わせの設定に失敗したことを示す場合、前記第３情報は前記第２端末装置が選択した第３パラメータ組み合わせを示し、又は、前記第３情報は前記第２端末装置が使用している第４パラメータ組み合わせを示す。
【００９４】
いくつかの実施例では、前記第１端末装置は更に、
前記第２端末装置から送信された第６パラメータ組み合わせを受信するように設定される第２受信ユニット５０３を備え、
前記第６パラメータ組み合わせは、前記第１端末装置のサイドリンクデータ送信パラメータ、前記第１端末装置のサイドリンクデータ受信パラメータのうちの少なくとも１つを示すことに用いられる。
【００９５】
前記第６パラメータ組み合わせと前記第３情報は同じＲＲＣメッセージを用いて伝送される。
【００９６】
本発明の実施例では、前記第２パラメータ組み合わせ、前記第３パラメータ組み合わせ及び前記第４パラメータ組み合わせについての関連説明は本発明の実施例にかかわる第２パラメータ組み合わせ、第３パラメータ組み合わせ及び第４パラメータ組み合わせと同様であり、ここで詳細な説明は省略する。本発明の実施例では、第２端末装置のサイドリンクについての説明は本発明の実施例にかかわる第２端末装置のサイドリンクと同様であり、ここで詳細な説明は省略する。
【００９７】
本発明の実施例は更に端末装置を提供し、該端末装置は、プロセッサと、プロセッサにおいて実行できるコンピュータプログラムを記憶するためのメモリとを備え、前記プロセッサは前記コンピュータプログラムを実行するとき、上記パラメータ設定方法のステップを実行することに用いられる。
【００９８】
図８は本発明の実施例の端末装置（第１端末装置及び第２端末装置）のハードウェアの要部構成模式図である。端末装置７００は少なくとも１つのプロセッサ７０１、メモリ７０２及び少なくとも１つのネットワークインターフェース７０４を備える。端末装置７００の各コンポーネントはバスシステム７０５により一体に結合される。理解されるように、バスシステム７０５はこれらのコンポーネント同士の接続通信を実現することに用いられる。バスシステム７０５はデータバスのほか、更に電源バス、制御バス及び状態信号バスを含むが、明確に説明するために、図８では様々なバスがいずれもバスシステム７０５と記される。
【００９９】
理解されるように、メモリ７０２は揮発性メモリ又は不揮発性メモリであってもよく、又は、揮発性メモリ及び不揮発性メモリの両方を含んでもよい。不揮発性メモリはＲＯＭ、プログラム可能読み出し専用メモリ（ＰＲＯＭ、Ｐｒｏｇｒａｍｍａｂｌｅ  Ｒｅａｄ−Ｏｎｌｙ  Ｍｅｍｏｒｙ）、消去可能プログラム可能読み出し専用メモリ（ＥＰＲＯＭ、Ｅｒａｓａｂｌｅ  Ｐｒｏｇｒａｍｍａｂｌｅ  Ｒｅａｄ−Ｏｎｌｙ  Ｍｅｍｏｒｙ）、電気的消去可能プログラム可能読み出し専用メモリ（ＥＥＰＲＯＭ、Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、磁気ランダムアクセスメモリ（ＦＲＡＭ、ｆｅｒｒｏｍａｇｎｅｔｉｃ  ｒａｎｄｏｍ  ａｃｃｅｓｓ  ｍｅｍｏｒｙ）、フラッシュメモリ（Ｆｌａｓｈ  Ｍｅｍｏｒｙ）、磁気表面メモリ、光ディスク、又は読み取り専用のコンパクトディスク（ＣＤ−ＲＯＭ、Ｃｏｍｐａｃｔ  Ｄｉｓｃ  Ｒｅａｄ−Ｏｎｌｙ  Ｍｅｍｏｒｙ）であってもよい。磁気表面メモリは磁気ディスクメモリ又は磁気テープメモリであってもよい。揮発性メモリは外部キャッシュメモリとして使用されるランダムアクセスメモリ（ＲＡＭ、Ｒａｎｄｏｍ  Ａｃｃｅｓｓ  Ｍｅｍｏｒｙ）であってもよい。例示的な説明であって制限的ではないが、多くの形式のＲＡＭ、例えばスタティックランダムアクセスメモリ（ＳＲＡＭ、Ｓｔａｔｉｃ  Ｒａｎｄｏｍ  Ａｃｃｅｓｓ  Ｍｅｍｏｒｙ）、シンクロナススタティックランダムアクセスメモリ（ＳＳＲＡＭ、Ｓｙｎｃｈｒｏｎｏｕｓ  Ｓｔａｔｉｃ  Ｒａｎｄｏｍ  Ａｃｃｅｓｓ  Ｍｅｍｏｒｙ）、ダイナミックランダムアクセスメモリ（ＤＲＡＭ、Ｄｙｎａｍｉｃ  Ｒａｎｄｏｍ  Ａｃｃｅｓｓ  Ｍｅｍｏｒｙ）、シンクロナスダイナミックランダムアクセスメモリ（ＳＤＲＡＭ、Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、ダブルデータレートシンクロナスダイナミックランダムアクセスメモリ（ＤＤＲＳＤＲＡＭ、Ｄｏｕｂｌｅ  Ｄａｔａ  Ｒａｔｅ  Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、拡張型シンクロナスダイナミックランダムアクセスメモリ（ＥＳＤＲＡＭ、Ｅｎｈａｎｃｅｄ  Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、シンクリンクダイナミックランダムアクセスメモリ（ＳＬＤＲＡＭ、ＳｙｎｃＬｉｎｋ  Ｄｙｎａｍｉｃ  Ｒａｎｄｏｍ  Ａｃｃｅｓｓ  Ｍｅｍｏｒｙ）、ダイレクトラムバスランダムアクセスメモリ（ＤＲＲＡＭ、Ｄｉｒｅｃｔ  Ｒａｍｂｕｓ  Ｒａｎｄｏｍ  Ａｃｃｅｓｓ  Ｍｅｍｏｒｙ）は利用可能である。本発明の実施例に説明されるメモリ７０２はこれらのメモリ及び任意の他の適切なタイプのメモリを含んでもよいが、それらに限らないように意図されるものである。
【０１００】
端末装置７００の操作をサポートするために、本発明の実施例におけるメモリ７０２は様々なタイプのデータを記憶することに用いられる。これらのデータの例は、端末装置７００において操作するためのいかなるコンピュータプログラム、例えばアプリケーションプログラム７０２２を含む。本発明の実施例の方法を実現するプログラムはアプリケーションプログラム７０２２に含まれてもよい。
【０１０１】
上記本発明の実施例に開示される方法はプロセッサ７０１に適用され、又はプロセッサ７０１により実現されることができる。プロセッサ７０１は信号処理機能を有する集積回路チップでありうる。実現過程において、上記方法の各ステップはプロセッサ７０１におけるハードウェアの集積論理回路又はソフトウェア形式の命令で行われてもよい。上記プロセッサ７０１は汎用プロセッサ、デジタルシグナルプロセッサ（ＤＳＰ、Ｄｉｇｉｔａｌ  Ｓｉｇｎａｌ  Ｐｒｏｃｅｓｓｏｒ）、又は他のプログラマブルロジックデバイス、個別ゲート又はトランジスタロジックデバイス、個別ハードウェアコンポーネント等であってもよい。プロセッサ７０１は本発明の実施例に開示される各方法、ステップ及び論理ブロックを実現又は実行することができる。汎用プロセッサはマイクロプロセッサ又はいかなる通常のプロセッサ等であってもよい。本発明の実施例に開示される方法のステップはハードウェア復号プロセッサで実行して完成し、又は復号プロセッサにおけるハードウェア及びソフトウェアモジュールの組み合わせで実行して完成するように直接具現されてもよい。ソフトウェアモジュールは記憶媒体に位置してもよく、該記憶媒体はメモリ７０２に位置し、プロセッサ７０１はメモリ７０２における情報を読み取り、そのハードウェアと組み合わせて上記方法のステップを行う。
【０１０２】
例示的な実施例では、端末装置７００は１つ又は複数の特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ、プログラマブルロジックデバイス（ＰＬＤ、Ｐｒｏｇｒａｍｍａｂｌｅ  Ｌｏｇｉｃ  Ｄｅｖｉｃｅ）、複合プログラマブルロジックデバイス（ＣＰＬＤ、Ｃｏｍｐｌｅｘ  Ｐｒｏｇｒａｍｍａｂｌｅ  Ｌｏｇｉｃ  Ｄｅｖｉｃｅ）、ＦＰＧＡ、汎用プロセッサ、コントローラ、ＭＣＵ、ＭＰＵ、又は他の電子素子により実現されてもよく、上記方法を実行することに用いられる。
【０１０３】
本願の実施例は更に記憶媒体を提供し、該記憶媒体はコンピュータプログラムを記憶することに用いられる。
【０１０４】
選択肢として、該記憶媒体は本願の実施例の端末装置に適用されてもよく、且つ該コンピュータプログラムによってコンピュータは本願の実施例の各方法における対応プロセスを実行する。簡潔のために、ここで詳細な説明は省略する。
【０１０５】
本発明は本発明の実施例に係る方法、装置（システム）、及びコンピュータプログラム製品のフローチャート及び／又はブロック図を参照して説明したものである。理解されるように、コンピュータプログラム命令によってフローチャート及び／又はブロック図における各プロセス及び／又はブロック、並びにフローチャート及び／又はブロック図におけるプロセス及び／又はブロックの組み合わせを実現できる。１つのマシンを生成するために、これらのコンピュータプログラム命令を汎用コンピュータ、専用コンピュータ、組み込みプロセッサ又は他のプログラマブルデータ処理装置のプロセッサに提供することができ、それによりコンピュータ又は他のプログラマブルデータ処理装置のプロセッサの実行する命令によって、フローチャートにおける１つのプロセス又は複数のプロセス及び／又はブロック図における１つのブロック又は複数のブロックにおいて指定された機能を実現するための装置を生成する。
【０１０６】
これらのコンピュータプログラム命令はコンピュータ又は他のプログラマブルデータ処理装置が特定の方式で動作するように案内できるコンピュータ可読メモリに記憶されてもよい。それにより、該コンピュータ可読メモリに記憶される命令は命令装置を含む製造品を生成し、該命令装置はフローチャートにおける１つのプロセス又は複数のプロセス及び／又はブロック図における１つのブロック又は複数のブロックにおいて指定された機能を実現する。
【０１０７】
これらのコンピュータプログラム命令はコンピュータ又は他のプログラマブルデータ処理装置にインストールされてもよい。それにより、コンピュータ又は他のプログラマブル装置において一連の操作ステップを実行することでコンピュータの実現する処理を生成し、これによりコンピュータ又は他のプログラマブル装置において実行される命令はフローチャートにおける１つのプロセス又は複数のプロセス及び／又はブロック図における１つのブロック又は複数のブロックにおいて指定された機能を実現するためのステップを提供する。
【０１０８】
以上の説明は本発明の好適な実施例に過ぎず、本発明の保護範囲を制限するためのものではない。本発明の趣旨や原則内に行ったいかなる修正、等価置換及び改良等は、いずれも本発明の保護範囲内に含まれるべきである。
【図１】
2022502979.tif 000003
【図２】
2022502979.tif 000004
【図３】
2022502979.tif 000005
【図４】
2022502979.tif 000006
【図５】
2022502979.tif 000007
【図６】
2022502979.tif 000008
【図７】
2022502979.tif 000009
【図８】
2022502979.tif 000010
【手続補正書】
【提出日】令和3年4月15日(2021.4.15)
【手続補正１】
【補正対象書類名】明細書
【補正対象項目名】００１８
【補正方法】変更
【補正の内容】
【００１８】
ＮＲ−Ｖ２ＸにＵＥ−ＵＥの制御を導入したが、ＵＥ−ＵＥの制御の実現、例えば、どのようにＵＥ−ＵＥの能力交換及び相互制御をトリガーするか、どのような粒度で交換制御を行うか、どのように制御側及び被制御側を決定するか、及びどのように異常状況を処理するか等については、まだ有効な解決案がない。
【手続補正２】
【補正対象書類名】明細書
【補正対象項目名】００１９
【補正方法】変更
【補正の内容】
【００１９】
従って、本発明はパラメータ設定方法を提供する。本願の実施例のパラメータ設定方法は様々な通信システム、例えば、モバイル通信用グローバル（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）、ロングタームエボリューション（ＬＴＥ、Ｌｏｎｇ  Ｔｅｒｍ  Ｅｖｏｌｕｔｉｏｎ）システム、ＬＴＥ周波数分割複信（ＦＤＤ、Ｆｒｅｑｕｅｎｃｙ  Ｄｉｖｉｓｉｏｎ  Ｄｕｐｌｅｘ）システム、ＬＴＥ時分割複信（ＴＤＤ、Ｔｉｍｅ  Ｄｉｖｉｓｉｏｎ  Ｄｕｐｌｅｘ）、ユニバーサルモバイルテレコミュニケーションズシステム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は５Ｇシステム等に適用されてもよい。
【手続補正３】
【補正対象書類名】明細書
【補正対象項目名】００３２
【補正方法】変更
【補正の内容】
【００３２】
具体的に実施するとき、前記第２端末装置が第１端末装置に第１パラメータ組み合わせを送信することは、前記第２端末装置の上位層メッセージによりトリガーされてもよく、前記第１端末装置の第１メッセージによりトリガーされることで実現されてもよい。前記上位層メッセージはＲＲＣシグナリングに含まれ、前記第１パラメータ組み合わせと同時に前記第１端末装置に送信され、且つ前記上位層メッセージは、
接続確立要求メッセージＤＩＲＥＣＴ＿ＣＯＭＭＵＮＩＣＡＴＩＯＮ＿ＲＥＱＵＥＳＴ、セキュリティパラメータ設定メッセージＤＩＲＥＣＴ＿ＳＥＣＵＲＩＴＹ＿ＭＯＤＥ＿ＣＯＭＭＡＮＤ、セキュリティパラメータ設定完了メッセージＤＩＲＥＣＴ＿ＳＥＣＵＲＩＴＹ＿ＭＯＤＥ＿ＣＯＭＰＬＥＴＥ、接続確立完了メッセージＤＩＲＥＣＴ＿ＣＯＭＭＵＮＩＣＡＴＩＯＮ＿ＡＣＣＥＰＴのうちの少なくとも１つを含む。
【手続補正４】
【補正対象書類名】明細書
【補正対象項目名】００３４
【補正方法】変更
【補正の内容】
【００３４】
理解されるように、前記第２端末装置の上位層メッセージは前記第２端末装置による前記第１端末装置への第１パラメータ組み合わせの送信をトリガーし、又は、前記第１端末装置から送信された第１メッセージは前記第２端末装置による前記第１端末装置への第１パラメータ組み合わせの送信をトリガーする。第２端末装置の上位層メッセージよりトリガーされるか、それとも第１端末装置の第１メッセージによりトリガーされることで第１パラメータ組み合わせの送信を実現するかにかかわらず、いずれも周期的にトリガーされてもよい。即ち、第２端末装置の上位層は第２端末装置による第１端末装置への第１パラメータ組み合わせの送信を周期的にトリガーし、又は、第１端末装置は第１メッセージを周期的に送信することにより、第２端末装置による第１端末装置への第１パラメータ組み合わせの送信をトリガーする。
【手続補正５】
【補正対象書類名】明細書
【補正対象項目名】００３５
【補正方法】変更
【補正の内容】
【００３５】
ここで、前記第１メッセージは前記第２端末が送信する必要がある第１パラメータ組み合わせにおける第１パラメータのタイプを示すことに用いられる。例を挙げると、前記第１パラメータ組み合わせにおける第１パラメータは異なる次元、例えばサービス品質（ＱｏＳ、Ｑｕａｌｉｔｙ  ｏｆ  Ｓｅｒｖｉｃｅ）属性、伝播方式、第２端末装置の識別マーク、送信先アドレス、ソースアドレス、プロバイダサービス識別子（ＰＳＩＤ）及び高度道路交通システム−アプリケーション識別子（ＩＴＳ−ＡＩＤ）、無線アクセスタイプ（ＲＡＴ）及び第２端末装置の上位層が送信したパラメータ設定情報を含む。選択肢として、本発明の実施例では、前記第１パラメータのタイプは第１パラメータの異なる次元である。前記伝播方式はユニキャスト、マルチキャスト及びブロードキャストを含み、前記ＲＡＴはＮＲシステムへのアクセス及びＬＴＥシステムへのアクセスを含む。
【手続補正６】
【補正対象書類名】明細書
【補正対象項目名】００３７
【補正方法】変更
【補正の内容】
【００３７】
前記第１メッセージはＰＣ５−ｓｉｇｎａｌｉｎｇメッセージであり、又は、前記第１メッセージはＲＲＣメッセージであり、又は、前記第１メッセージは接続確立要求メッセージであり、又は、前記第１メッセージはセキュリティパラメータ設定メッセージであり、又は、前記第１メッセージはセキュリティパラメータ設定完了確認メッセージであり、又は、前記第１メッセージは接続確立完了確認メッセージである。
【手続補正７】
【補正対象書類名】明細書
【補正対象項目名】００５３
【補正方法】変更
【補正の内容】
【００５３】
具体的に実施するとき、前記第１端末装置が第２端末装置に第２パラメータ組み合わせを送信することは、前記第１端末装置の上位層メッセージによりトリガーされてもよく、前記第２端末装置の第２メッセージによりトリガーされることで実現されてもよい。前記上位層メッセージはＲＲＣシグナリングに含まれ、前記第２パラメータ組み合わせと同時に前記第２端末装置に送信される。前記上位層メッセージは接続確立要求メッセージ、セキュリティパラメータ設定メッセージ、セキュリティパラメータ設定完了メッセージ及び接続確立完了メッセージのうちの少なくとも１つを含む。
【手続補正８】
【補正対象書類名】明細書
【補正対象項目名】００５６
【補正方法】変更
【補正の内容】
【００５６】
理解されるように、前記第１端末装置の上位層は前記第１端末装置による前記第２端末装置への第２パラメータ組み合わせの送信をトリガーし、又は、前記第２端末装置の第２メッセージは前記第１端末装置による前記第２端末装置への第２パラメータ組み合わせの送信をトリガーする。第１端末装置の上位層によりトリガーされるか、それとも第２端末装置の第２メッセージによりトリガーされることで第２パラメータ組み合わせの送信を実現するかにかかわらず、いずれも周期的にトリガーされてもよい。即ち、第１端末装置の上位層は第１端末装置による第２端末装置への第２パラメータ組み合わせの送信を周期的にトリガーし、又は、第２端末装置は前記第１端末装置に第２メッセージを周期的に送信することにより、前記第１端末装置による第２端末装置への第２パラメータ組み合わせの送信をトリガーする。
【手続補正９】
【補正対象書類名】明細書
【補正対象項目名】００６５
【補正方法】変更
【補正の内容】
【００６５】
本発明の実施例では、前記第３情報は前記第２端末装置による前記第２パラメータ組み合わせの設定が完了することを示し、又は、前記第３情報は前記第２端末装置が前記第２パラメータ組み合わせの設定を拒否し、又は前記第２パラメータ組み合わせの設定に失敗したことを示す。
【手続補正１０】
【補正対象書類名】明細書
【補正対象項目名】００７６
【補正方法】変更
【補正の内容】
【００７６】
本発明の実施例では、前記第１メッセージはＰＣ５−ｓｉｇｎａｌｉｎｇメッセージ、又はＲＲＣメッセージ、又は接続確立要求メッセージ、又はセキュリティパラメータ設定メッセージ、又はセキュリティパラメータ設定完了確認メッセージ、又は接続確立完了確認メッセージである。
【手続補正１１】
【補正対象書類名】明細書
【補正対象項目名】００７７
【補正方法】変更
【補正の内容】
【００７７】
本発明の実施例では、前記第１パラメータ組み合わせは前記第２端末装置のサイドリンクデータ送信パラメータ及び／又は前記第２端末装置のサイドリンクデータ受信パラメータを含む。前記状況は、ＱｏＳ属性、伝播方式、第２端末装置の識別マーク、送信先アドレス、ソースアドレス、ＰＳＩＤ、ＩＴＳ−ＡＩＤ、ＲＡＴ及び第２端末装置の上位層が送信したパラメータ設定情報のうちの少なくとも１つを含む。
【手続補正１２】
【補正対象書類名】特許請求の範囲
【補正対象項目名】全文
【補正方法】変更
【補正の内容】
【特許請求の範囲】
【請求項１】
パラメータ設定方法であって、
第２端末装置が第１端末装置に第１パラメータ組み合わせを送信し、前記第１パラメータ組み合わせは、前記第２端末装置のサイドリンクデータ送信パラメータ及び／又は前記第２端末装置のサイドリンクデータ受信パラメータを示すことに用いられることを含むパラメータ設定方法。
【請求項２】
前記第２端末装置が第１端末装置に第１パラメータ組み合わせを送信することは、前記第１端末装置の第１メッセージによりトリガーされる請求項１に記載の方法。
【請求項３】
前記第１メッセージはＰＣ５−ｓｉｇｎａｌｉｎｇメッセージ又はセキュリティパラメータ設定メッセージである請求項２に記載の方法。
【請求項４】
前記第１パラメータ組み合わせは、異なる状況に対して第１パラメータに対して異なる設定を行い、
前記状況は、プロバイダサービス識別子（ＰＳＩＤ）及び高度道路交通システム−アプリケーション識別子（ＩＴＳ−ＡＩＤ）のうちの少なくとも１つを含む請求項１〜３のいずれか１項に記載の方法。
【請求項５】
前記第１パラメータ組み合わせは、サービス品質（ＱｏＳ）属性情報を含む請求項１〜４のいずれか１項に記載の方法。
【請求項６】
前記第１パラメータ組み合わせが前記サービス品質（ＱｏＳ）属性情報を含む場合、前記第１パラメータ組み合わせは、前記第２端末装置が前記ＱｏＳ属性を有するサービスを開始するように要求することを示すことに用いられる請求項５に記載の方法。
【請求項７】
前記第１パラメータ組み合わせが前記サービス品質（ＱｏＳ）属性情報を含む場合、前記第１パラメータ組み合わせは、前記第２端末装置が前記ＱｏＳ属性を有するサービスをリリースするように要求することを示すことに用いられる請求項５に記載の方法。
【請求項８】
第２端末装置であって、第１送信ユニットを備え、
前記第１送信ユニットは第１端末装置に第１パラメータ組み合わせを送信するように設定され、前記第１パラメータ組み合わせは、前記第２端末装置のサイドリンクデータ送信パラメータ及び／又は前記第２端末装置のサイドリンクデータ受信パラメータを示すことに用いられる第２端末装置。
【請求項９】
前記第１送信ユニットが第１端末装置に第１パラメータ組み合わせを送信することは、前記第１端末装置から送信された第１メッセージによりトリガーされる請求項８に記載の第２端末装置。
【請求項１０】
前記第１メッセージはＰＣ５−ｓｉｇｎａｌｉｎｇメッセージ又はセキュリティパラメータ設定メッセージである請求項９に記載の第２端末装置。
【請求項１１】
前記第１パラメータ組み合わせは、異なる状況に対して第１パラメータに対して異なる設定を行い、
前記状況は、プロバイダサービス識別子（ＰＳＩＤ）及び高度道路交通システム−アプリケーション識別子（ＩＴＳ−ＡＩＤ）のうちの少なくとも１つを含む請求項８〜１０のいずれか１項に記載の第２端末装置。
【請求項１２】
前記第１パラメータ組み合わせは、サービス品質（ＱｏＳ）属性情報を含む請求項８〜１１のいずれか１項に記載の第２端末装置。
【請求項１３】
前記第１パラメータ組み合わせが前記サービス品質（ＱｏＳ）属性情報を含む場合、前記第１パラメータ組み合わせは、前記第２端末装置が前記ＱｏＳ属性を有するサービスを開始するように要求することを示すことに用いられる請求項１２に記載の第２端末装置。
【請求項１４】
前記第１パラメータ組み合わせが前記サービス品質（ＱｏＳ）属性情報を含む場合、前記第１パラメータ組み合わせは、前記第２端末装置が前記ＱｏＳ属性を有するサービスをリリースするように要求することを示すことに用いられる請求項１２に記載の第２端末装置。
【請求項１５】
前記第２端末装置のサイドリンクデータ受信パラメータは、
前記第２端末装置のサイドリンクの基準信号受信電力（ＲＳＲＰ）、
前記第２端末装置のサイドリンクの基準信号受信品質（ＲＳＲＱ）、
前記第２端末装置のサイドリンクの受信信号強度指示（ＲＳＳＩ）、のうちの少なくとも１つを含む請求項８〜１４のいずれか１項に記載の第２端末装置。
【国際調査報告】
2022502979.tif 000011
2022502979.tif 000012
2022502979.tif 000013
2022502979.tif 000014